(57)【要約】  【課題】複数の回線が割り当てられた電話システムに所属する複数の電話端末間において、主装置に依存することなく、ラインキーの状態を整合させる技術を提供する。  【解決手段】ＩＰ電話端末１は、自ＩＰ電話端末１によって使用されている回線の状態を、この回線に対応するラインキーに表示するとともに、この回線の状態およびこの回線に対応するラインキーのキーＩＤを含むラインキー情報を他のＩＰ電話端末１に送信する。また、ＩＰ電話端末１は、他のＩＰ電話端末１によって送信されたラインキー情報を受信し、このラインキー情報に含まれている回線の状態を、このラインキー情報に含まれているキーＩＤによって特定されるラインキーに表示する。【選択図】図１
2014135671.tif 000002
【特許請求の範囲】
【請求項１】
所属の電話システムに割り当てられた複数の回線に対応する複数のラインキーを備えた電話端末であって、
自電話端末によって使用される前記回線の状態および当該回線に対応する前記ラインキーの識別情報を含むラインキー情報を、前記電話システムに所属する他の電話端末に送信する送信手段と、
前記他の電話端末により送信された前記ラインキー情報を受信する受信手段と、
自電話端末によって使用される前記回線の状態を、当該回線に対応する前記ラインキーに表示するとともに、前記受信手段により受信された前記ラインキー情報に含まれている前記回線の状態を当該ラインキー情報に含まれている前記識別情報によって特定される前記ラインキーに表示するラインキー制御手段と、を有する
ことを特徴とする電話端末。
【請求項２】
請求項１に記載の電話端末であって、
自電話端末によって使用される前記回線の状態変更を要求するイベントが発生した場合に、前記他の電話端末に、当該回線の状態変更の許諾を要求する許諾要求を送信して、当該他の電話端末から応答を受信する許諾要求手段と、
前記他の電話端末から前記許諾要求を受信した場合に、当該他の電話端末に、当該許諾要求に対する可否が記述された応答を返信する可否応答手段と、をさらに有し、
前記送信手段は、
前記許諾要求手段により、自電話端末から送信された前記許諾要求に対して、当該許諾要求を許可する旨が記述された前記応答を前記他の電話端末から受信した場合に、当該許諾要求において状態変更の許諾を要求されている前記回線の当該状態変更後の状態と、当該回線に対応する前記ラインキーの前記識別情報と、を含む前記ラインキー情報を、前記他の電話端末に送信する
ことを特徴とする電話端末。
【請求項３】
請求項２に記載の電話端末であって、
前記可否応答手段は、
前記他の電話端末から前記許諾要求を受信した場合に、当該許諾要求において状態変更の許諾を要求されている前記回線が自電話端末によって使用される前記回線と異なる場合に、当該許諾要求を許可する旨が記述された前記応答を返信する
ことを特徴とする電話端末。
【請求項４】
請求項３に記載の電話端末であって、
前記可否応答手段は、
前記許諾要求手段により、自電話端末から送信された前記許諾要求に対する前記応答を前記他の電話端末から受信するまでに、当該他の電話端末から他の前記許諾要求を受信した場合に、当該他の電話端末に付与されている優先レベルと、自電話端末に付与されている優先レベルとを比較して、当該他の前記許諾要求に対する前記応答に記述する可否を決定する
ことを特徴とする電話端末。
【請求項５】
請求項３に記載の電話端末であって、
前記可否応答手段は、
前記許諾要求手段により、自電話端末から送信された前記許諾要求に対する前記応答を前記他の電話端末から受信するまでに、当該他の電話端末から他の前記許諾要求を受信した場合に、当該他の前記許諾要求が許諾を要求する状態変更の内容と、自電話端末から送信された前記許諾要求が許諾を要求する状態変更の内容とを比較して、当該他の前記許諾要求に対する前記応答に記述する可否を決定する
ことを特徴とする電話端末。
【請求項６】
請求項１ないし５のいずれか一項に記載の電話端末であって、
生存確認要求を同報送信して、前記他の電話端末から生存確認応答を受信する生存確認手段をさらに備え、
前記送信手段は、
前記他の電話端末から受信した前記生存確認要求に対する前記生存確認応答に前記ラインキー情報を含めて、当該生存確認応答を当該他の電話端末に送信する
ことを特徴とする電話端末。
【請求項７】
請求項１ないし５のいずれか一項に記載の電話端末であって、
生存確認要求を同報送信して、前記他の電話端末から生存確認応答を受信する生存確認手段をさらに備え、
前記送信手段は、
前記生存確認要求に前記ラインキー情報を含めて同報送信する
ことを特徴とする電話端末。
【請求項８】
複数の回線が割り当てられた電話システムのラインキー制御方法であって、
前記電話システムに所属する電話端末各々は、
前記複数の回線に対応する複数のラインキーを備えており、
自電話端末によって使用されている回線の状態を、当該回線に対応する前記ラインキーに表示して、当該回線の状態および当該回線に対応する前記ラインキーの識別情報を含むラインキー情報を他の前記電話端末に送信するとともに、
他の前記電話端末から前記ラインキー情報を受信して、当該ラインキー情報に含まれている前記回線の状態を当該ラインキー情報に含まれている識別情報によって特定される前記ラインキーに表示する
ことを特徴とする電話システムのラインキー制御方法。
【発明の詳細な説明】
【技術分野】
【０００１】
本発明は、複数のラインキーを備えた電話端末に関し、特に、電話システムを構成する複数の電話端末間においてラインキーの状態を整合させる技術に関する。
【背景技術】
【０００２】
ボタン電話システムを構成する電話端末には、ボタン電話システムに割り当てられた複数の回線に対応する複数のラインキーを備えたものがある。この種の電話端末は、自電話端末を収容する主装置の指示に従い、それぞれの回線の状態をそれぞれの回線に対応するラインキーに表示するとともに、操作者のラインキー操作に従い、これらの回線のなかから通話に使用する回線を選択して、その選択した回線を主装置に通知する。例えば、特許文献１には、複数の主装置に割り当てられた複数の回線に対応する複数のラインキーを備え、同時着信、通話中着信等の機能を一台で行うことができるＩＰ電話端末が開示されている。
【先行技術文献】
【特許文献】
【０００３】
【特許文献１】特開２００９−２３９８４３号公報
【発明の概要】
【発明が解決しようとする課題】
【０００４】
しかしながら、従来、複数のラインキーを備えた電話端末を複数有するボタン電話システムにおいて、電話端末間でラインキーの状態を整合させるためには、これらの電話端末を収容する主装置がラインキーの制御に対応していなければならない。
【０００５】
本発明は上記事情に鑑みてなされたものであり、その目的は、複数の回線が割り当てられた電話システムに所属する複数の電話端末間において、主装置に依存することなくラインキーの状態を整合させる技術を提供することにある。
【課題を解決するための手段】
【０００６】
上記課題を解決するために、本発明は、複数の回線が割り当てられた電話システムにおいて、この電話システムに所属する電話端末各々が、自電話端末によって使用されている回線の状態を、この回線に対応するラインキーに表示するとともに、この回線の状態およびこの回線に対応するラインキーの識別情報を含むラインキー情報を他の電話端末に送信する。また、各電話端末は、他の電話端末によって送信されたラインキー情報を受信し、このラインキー情報に含まれている回線の状態を、このラインキー情報に含まれている識別情報によって特定されるラインキーに表示する。
【０００７】
例えば、本発明は、所属の電話システムに割り当てられた複数の回線に対応する複数のラインキーを備えた電話端末であって、
自電話端末によって使用される前記回線の状態および当該回線に対応する前記ラインキーの識別情報を含むラインキー情報を、前記電話システムに所属する他の電話端末に送信する送信手段と、
前記他の電話端末により送信された前記ラインキー情報を受信する受信手段と、
自電話端末によって使用される前記回線の状態を、当該回線に対応する前記ラインキーに表示するとともに、前記受信手段により受信された前記ラインキー情報に含まれている前記回線の状態を、当該ラインキー情報に含まれている前記識別情報によって特定される前記ラインキーに表示するラインキー制御手段と、を有する。
【発明の効果】
【０００８】
本発明によれば、電話システムに所属する複数の電話端末間において、使用中の回線の状態およびこの回線に対応するラインキーの識別情報を互いに送受するので、これらの電話端末を収容する主装置に依存することなく電話端末間でラインキーの状態を整合させることができる。
【図面の簡単な説明】
【０００９】
【図１】図１は、本発明の実施の形態に係るＩＰボタン電話システムの概略構成図である。
【図２】図２は、ＩＰ電話端末１の概略機能構成図である。
【図３】図３は、ラインキー情報記憶部１０５の登録内容例の模式図である。
【図４】図４は、ラインキー制御コマンドのデータフォーマットの模式図である。
【図５】図５は、本発明の実施の形態に係るＩＰボタン電話システムの端末登録動作シーケンスを説明するための図である。
【図６】図６は、本発明の実施の形態に係るＩＰボタン電話システムの発信動作シーケンスを説明するための図である。
【図７】図７は、捕捉許諾要求に対する応答がない場合における、本発明の実施の形態に係るＩＰボタン電話システムの発信動作シーケンスを説明するための図である。
【図８】図８は、捕捉許諾要求が競合した場合における、本発明の実施の形態に係るＩＰボタン電話システムの発信動作シーケンスを説明するための図である。
【図９】図９は、捕捉中の回線に着信した場合における、本発明の実施の形態に係るＩＰボタン電話システムの発信動作シーケンスを説明するための図である。
【図１０】図１０は、本発明の実施の形態に係るＩＰボタン電話システムの個別着信動作シーケンスを説明するための図である。
【図１１】図１１は、捕捉要求と着信要求とが競合した場合における、本発明の実施の形態に係るＩＰボタン電話システムの個別着信動作シーケンスを説明するための図である。
【図１２】図１２は、本発明の実施の形態に係るＩＰボタン電話システムの放送着信動作シーケンスを説明するための図である。
【図１３】図１３は、本発明の実施の形態に係るＩＰボタン電話システムの放送着信動作シーケンスを説明するための図（図１２の続き）である。
【図１４】図１４は、本発明の実施の形態に係るＩＰボタン電話システムの保留動作シーケンスを説明するための図である。
【図１５】図１５は、本発明の実施の形態に係るＩＰボタン電話システムの保留動作解除動作シーケンスを説明するための図である。
【図１６】図１６は、本発明の実施の形態に係るＩＰボタン電話システムの保留応答動作シーケンスを説明するための図である。
【図１７】図１７は、本発明の実施の形態に係るＩＰボタン電話システムの終話動作シーケンスを説明するための図である。
【図１８】図１８は、本発明の実施の形態に係るＩＰボタン電話システムの生存確認動作シーケンスを説明するための図である。
【図１９】図１９は、本発明の実施の形態に係るＩＰボタン電話システムの生存確認動作シーケンスの変形例を説明するための図である。
【発明を実施するための形態】
【００１０】
以下に、本発明の一実施の形態について説明する。
【００１１】
図１は、本実施の形態に係るＩＰボタン電話システムの概略構成図である。
【００１２】
図示するように、本実施の形態に係るＩＰボタン電話システムは、複数のＩＰ電話端末１−１〜１−Ｎ（以下、単にＩＰ電話端末１とも称する）と、ＨＧＷ（ホームゲートウェイ）２とが、ＬＡＮ３を介して相互接続されて構成されている。
【００１３】
ＨＧＷ２は、ルータ機能およびＳＩＰ（Ｓｅｓｓｉｏｎ  Ｉｎｉｔｉａｔｉｏｎ  Ｐｒｏｔｏｃｏｌ）サーバ機能を備えたゲートウェイであり、ＬＡＮ３を介してＩＰ電話端末１をＩＰ電話網４に接続するとともに、ＩＰ電話端末１の発着信を制御する。また、ＨＧＷ２には、ＩＰ電話網４から複数の回線（電話番号）が割り当てられており、ＨＧＷ２は、自身に割り当てられたいずれかの回線を用いて、ＩＰ電話端末１とＩＰ電話網４側の通話相手との間の通話路を確立する。
【００１４】
ＩＰ電話端末１は、ＨＧＷ２に割り当てられた複数の回線に対応する複数のラインキーを備えており、自ＩＰ電話端末１によって使用されている回線の状態を、この回線に対応するラインキーに表示するとともに、この回線の状態およびこの回線に対応するラインキーの識別情報であるキーＩＤを含むラインキー情報を他のＩＰ電話端末１に送信する。また、ＩＰ電話端末１は、他のＩＰ電話端末１によって送信されたラインキー情報を受信し、このラインキー情報に含まれている回線の状態を、このラインキー情報に含まれているキーＩＤによって特定されるラインキーに表示する。
【００１５】
図２は、ＩＰ電話端末１の概略機能構成図である。
【００１６】
図示するように、ＩＰ電話端末１は、ＬＡＮインターフェース部１００と、通信制御部１０１と、マンマシンインターフェース部１０２と、ＩＰ電話機能部１０４と、ラインキー情報記憶部１０５と、ラインキー操作受付部１０６と、ラインキー制御コマンド送受信部１０７と、許諾・通知処理部１０８と、応答処理部１０９と、要求処理部１１０と、ラインキー制御部１１１と、を備えている。
【００１７】
ＬＡＮインターフェース部１００は、ＬＡＮ３に接続するためのインターフェースであり、ＬＡＮ３を介して通信相手とＭＡＣ（Ｍｅｄｉａ  Ａｃｃｅｓｓ  Ｃｏｎｔｒｏｌ）フレームを送受する。
【００１８】
通信制御部１０１は、ＴＣＰ、ＵＤＰ、ＩＰ等の通信プロトコルを実装しており、これらの通信プロトコルに従い、ＬＡＮインターフェース部１００により送受信されるＭＡＣフレームを介して、ＴＣＰパケットあるいはＵＤＰパケットが格納されたＩＰパケットを通信相手と送受信する。
【００１９】
マンマシンインターフェース部１０２は、操作者に情報や音声を伝えたり、操作者から指示や音声を受け付けたりするためのインターフェースであり、液晶パネル等の表示装置、各種キー、ボタン等の入力装置、およびマイク、スピーカからなる音声入出力装置を備えている。また、マンマシンインターフェース部１０２は、ＨＧＷ２に割り当てられた複数の回線のそれぞれに対応する複数のラインキーからなるラインキー群１０３を備えている。
【００２０】
ＩＰ電話機能部１０４は、ＨＧＷ２と連携して、ＩＰ電話端末１の機能を実現するために必要な処理を実施する。具体的には、ＳＩＰに従い発着信処理を実施することにより、通信制御部１０１およびＬＡＮインターフェース部１００を介して通話相手との間の通話路の確立および切断を実施する。また、ＲＴＰ（Ｒｅａｌｔｉｍｅ  Ｔｒａｎｓｐｏｒｔ  Ｐｒｏｔｏｃｏｌ）に従い伝送処理を実施することにより、通話路が確立されている通話相手との通話を実現する。
【００２１】
ラインキー情報記憶部１０５には、ラインキー群１０３を構成する各ラインキーの状態を示すラインキー情報が記憶される。図３は、ラインキー情報記憶部１０５の登録内容例の模式図である。図示するように、ラインキー情報記憶部１０５には、ラインキー群１０３を構成するラインキー毎にラインキー情報のレコード１０５０が記憶される。このレコード１０５０は、ラインキーの識別番号（例えばこのラインキーに対応する回線の電話番号）であるキーＩＤを登録するフィールド１０５１と、このラインキーに対応する回線の状態名を登録するフィールド１０５２と、使用端末ＩＤを登録するフィールド１０５３と、を有する。ここで、フィールド１０５２に登録される回線の状態名およびその内容の例を表１に示す。なお、フィールド１０５３には、対象のラインキーに対応する回線が自ＩＰ電話端末１を含むいずれかのＩＰ電話端末１に使用されている場合（回線の状態が未使用中（状態名が「ＦＲＥＥ」）以外の場合）に、そのＩＰ電話端末１の識別情報（例えばこのＩＰ電話端末１のＩＰアドレス）が使用端末ＩＤとして登録される。
【００２２】
【表１】
2014135671.tif 000003
【００２３】
ラインキー制御コマンド送受信部１０７は、通信制御部１０１およびＬＡＮインターフェース部１００を介して他のＩＰ電話端末１とラインキー制御コマンドを送受信する。ラインキー制御コマンドには、例えば、他のＩＰ電話端末１が使用中の回線およびその回線の状態の通知を要求する要求コマンド、自電話端末１が使用中あるいは使用予定の回線について状態変更の許諾を求める許諾要求コマンド、自電話端末１が使用中の回線の状態変更を通知する通知コマンド、およびこれらのラインキー制御コマンドに対する応答コマンドがある。要求コマンドの例を表２に示し、許諾要求コマンドの例を表３に示し、通知コマンドの例を表４に示し、そして、応答コマンドの例を表５に示す。
【００２４】
【表２】
2014135671.tif 000004
【００２５】
【表３】
2014135671.tif 000005
【００２６】
【表４】
2014135671.tif 000006
【００２７】
【表５】
2014135671.tif 000007
【００２８】
ラインキー制御コマンドは、ＵＤＰパケットのペイロードに格納されて他のＩＰ電話端末１と送受信される。図４は、ラインキー制御コマンドのデータフォーマットの模式図である。図示するように、ラインキー制御コマンドは、サービス識別子１０７１、ラインキー制御コマンドのコマンド名１０７２、リクエストＩＤ１０７３、内線番号１０７４、ＩＰアドレス／ポート番号１０７５、メッセージエレメント長１０７６、およびメッセージエレメント１０７７を含む。サービス識別子１０７１は、このサービス識別子１０７１で始まるデータ列１０７１〜１０７６がラインキー制御コマンドであることを示す。コマンド名１０７２には、ラインキー制御コマンドのコマンド名（表２〜表５参照）が格納される。リクエストＩＤ１０７３には、ラインキー制御コマンドの一連のやり取り（要求コマンド、許諾要求コマンドあるいは通知コマンドとその応答コマンド）を識別するための識別子が格納される。内線番号１０７４には、ラインキー制御コマンドの送信元のＩＰ電話端末１に割り当てられた内線番号が格納される。ＩＰアドレス／ポート番号１０７５には、ラインキー制御コマンドの送信元のＩＰ電話端末１に割り当てられたＩＰアドレスおよびポート番号が格納される。メッセージエレメント長１０７６には、メッセージエレメント１０７７のデータ長が格納される。そして、メッセージエレメント１０７７には、ラインキー制御コマンドの送信先のＩＰ電話端末１に引き渡す情報が格納される。例えば、自ＩＰ電話端末１による回線の使用状況を他のＩＰ電話端末１に通知する場合には、自ＩＰ電話端末１の端末ＩＤと、自ＩＰ電話端末１が使用する回線に対応するラインキーのキーＩＤおよびこの回線の状態名とが格納される（図３、表１参照）。
【００２９】
許諾・通知処理部１０８は、ラインキー制御部１１１の指示に従い、ラインキー制御コマンド送受信部１０７に許諾要求コマンドおよび通知コマンドの送信を指示する。
【００３０】
応答処理部１０９は、ラインキー制御部１１１の指示に従い、他のＩＰ電話端末１から受信した要求コマンド、許諾要求コマンド、あるいは通知コマンドに対する応答コマンドの送信をラインキー制御コマンド送受信部１０７に指示する。
【００３１】
要求処理部１１０は、ラインキー制御部１１１の指示に従い、ラインキー制御コマンド送受信部１０７に要求コマンドの送信を指示する。
【００３２】
ラインキー制御部１１１は、自ＩＰ電話端末１が使用中あるいは使用予定の回線について状態変更の必要性が生じた場合に、許諾・通知処理部１０８に適切な許諾要求コマンドの送信を指示し、自ＩＰ電話端末１が使用中の回線について状態変更が生じた場合に、許諾・通知処理部１０８に適切な通知コマンドの送信を指示する。また、ラインキー制御部１１１は、必要に応じてラインキー情報記憶部１０５を参照し、応答処理部１０９に対して、ラインキー制御コマンド送受信部１０７を介して他のＩＰ電話端末１から受信した要求コマンド、許諾要求コマンド、あるいは通知コマンドに対する適切な応答コマンドの送信を指示する。また、起動時あるいは定期的に、要求処理部１１０に対して適切な要求コマンドの送信を指示する。
【００３３】
さらに、ラインキー制御部１１１は、ＩＰ電話機能部１０４、ラインキー操作受付部１０６およびラインキー制御コマンド送受信部１０７と連携して、ラインキー群１０３を構成する各ラインキーに対応する各回線の状態変更を検知し、その検知結果に基づいてラインキー情報記憶部１０５を更新する。
【００３４】
つぎに、本実施の形態に係るＩＰボタン電話システムの動作を説明する。なお、ここでは、説明を簡略化するために、ＩＰボタン電話システムが三台のＩＰ電話端末１−１〜１−３を備えて構成されている場合を例にとり説明する。
【００３５】
図５は、本実施の形態に係るＩＰボタン電話システムの端末登録動作シーケンスを説明するための図である。なお、初期状態において、ＩＰ電話端末１−１は電源オフ、ＩＰ電話端末１−２は待受中（待機中）、そして、ＩＰ電話端末１−３は、キーＩＤ「１」のラインキーに対応する回線を用いて通話中であるものとする。
【００３６】
まず、ＩＰ電話端末１−１において、電源が投入されると（Ｓ１００）、ＩＰ電話機能部１０４は、通信制御部１０１およびＬＡＮインターフェース部１００を介してＨＧＷ２への登録処理（ＳＩＰ登録シーケンス）を実施する（Ｓ１０１）。ＨＧＷ２への登録処理が完了すると、その旨をラインキー制御部１１１に通知する。これを受けて、ラインキー制御部１１１は、要求処理部１１０に、自ＩＰ電話端末１−１の端末ＩＤを通知して自ＩＰ電話端末１の登録要求を指示する。要求処理部１１０は、このラインキー制御部１１１の指示に従い、表２の要求コマンドのうち、自ＩＰ電話端末１−１の端末ＩＤがメッセージエレメント１０７７に格納された登録要求コマンド（コマンド名：ＪＯＩＮ）をラインキー制御コマンド送受信部１０７に渡す。ラインキー制御コマンド送受信部１０７は、要求処理部１１０から受け取った登録要求コマンドを、通信制御部１０１を介してＬＡＮインターフェース部１００から同報送信する（Ｓ１０２）。
【００３７】
ＩＰ電話端末１−２、１−３において、ラインキー制御コマンド送受信部１０７は、ＬＡＮインターフェース部１００および通信制御部１０１を介してＩＰ電話端末１−１から登録要求コマンドを受信すると、この登録要求コマンドをラインキー制御部１１１に渡す。これを受けて、ラインキー制御部１１１は、この登録要求コマンドのメッセージエレメント１０７７からＩＰ電話端末１−１の端末ＩＤを取り出してＩＰ電話機能部１０４に登録するとともに（Ｓ１０３、Ｓ１０４）、自ＩＰ電話端末１の回線の使用状況を伴う確認応答の返信を応答処理部１０９に指示する。応答処理部１０９は、このラインキー制御部１１１の指示に従い、表５の応答コマンドのうち、メッセージエレメント１０７７に自ＩＰ電話端末１の端末ＩＤおよび回線の使用状況が格納された確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ１０５、Ｓ１０７）。ここで、ＩＰ電話端末１−２は待受中であるので、確認応答コマンドのメッセージエレメント１０７７にはＩＰ電話端末１−２の端末ＩＤのみが格納される。一方、ＩＰ電話端末１−３は、キーＩＤ「１」のラインキーに対応する回線を用いて通話中であるので、確認応答コマンドのメッセージエレメント１０７７には、ＩＰ電話端末１−３の端末ＩＤに加えて、回線の使用状況としてキーＩＤ「１」および回線の状態名「ＣＯＮＮＥＣＴ」が格納される。
【００３８】
ＩＰ電話端末１−１において、ラインキー制御コマンド送受信部１０７は、ＬＡＮインターフェース部１００および通信制御部１０１を介してＩＰ電話端末１−２から確認応答コマンドを受信すると、この確認応答コマンドをラインキー制御部１１１に渡す。これを受けて、ラインキー制御部１１１は、この確認応答コマンドのメッセージエレメント１０７７からＩＰ電話端末１−２の端末ＩＤを取り出してＩＰ電話機能部１０４に登録する（Ｓ１０６）。
【００３９】
同様に、ＩＰ電話端末１−１において、ラインキー制御コマンド送受信部１０７は、ＬＡＮインターフェース部１００および通信制御部１０１を介してＩＰ電話端末１−３から確認応答コマンドを受信すると、この確認応答コマンドをラインキー制御部１１１に渡す。これを受けて、ラインキー制御部１１１は、この確認応答コマンドのメッセージエレメント１０７７からＩＰ電話端末１−３の端末ＩＤを取り出してＩＰ電話機能部１０４に登録する（Ｓ１０８）。また、ラインキー制御部１１１は、この確認応答コマンドのメッセージエレメント１０７７に格納されている回線の使用状況（キーＩＤ「１」、回線状態の状態名「ＣＯＮＮＥＣＴ」）に基づいて、ラインキー情報記憶部１０５を更新する（Ｓ１０９）。具体的には、フィールド１０５１にキーＩＤ「１」が登録されているレコード１０５０を検索し、このレコード１０５０のフィールド１０５２、１０５３に登録されている状態名、使用端末ＩＤを、それぞれ「ＵＳＥ」、「ＩＰ電話端末１−３の端末ＩＤ」に更新する。さらに、ラインキー制御部１１１は、キーＩＤ「１」のラインキーに対応する回線の状態が、他のＩＰ電話端末１により使用中「ＵＳＥ」である旨を表示（例えばキーＩＤ「１」のラインキーを赤点灯）する（Ｓ１１０）。
【００４０】
図６は、本実施の形態に係るＩＰボタン電話システムの発信動作シーケンスを説明するための図である。なお、初期状態において、ＩＰ電話端末１−１〜１−３はすべて待受中（待機中）であるものとする。
【００４１】
まず、ＩＰ電話端末１−１において、ラインキー操作受付部１０６は、マンマシンインターフェース部１０２を介して操作者より、キーＩＤ「１」のラインキーに対応する回線の捕捉操作を受け付けると（Ｓ１２０）、その旨をラインキー制御部１１１に通知する。これを受けて、ラインキー制御部１１１は、許諾・通知処理部１０８に、キーＩＤ「１」を通知して回線の捕捉要求を指示する。許諾・通知処理部１０８は、このラインキー制御部１１１の指示に従い、表３の許諾要求コマンドのうち、キーＩＤ「１」がメッセージエレメント１０７７に格納された捕捉許諾要求コマンド（コマンド名：ＣＡＴＣＨ）をラインキー制御コマンド送受信部１０７に渡す。ラインキー制御コマンド送受信部１０７は、許諾・通知処理部１０８から受け取った捕捉許諾要求コマンドを、通信制御部１０１を介してＬＡＮインターフェース部１００から同報送信する（Ｓ１２１）。
【００４２】
ＩＰ電話端末１−２、１−３において、ラインキー制御コマンド送受信部１０７は、ＬＡＮインターフェース部１００および通信制御部１０１を介してＩＰ電話端末１−１から捕捉許諾要求コマンドを受信すると、この捕捉許諾要求コマンドをラインキー制御部１１１に渡す。これを受けて、ラインキー制御部１１１は、この捕捉許諾要求コマンドのメッセージエレメント１０７７に格納されているキーＩＤ「１」のラインキーに対応する回線について、自ＩＰ電話端末１が使用中あるいは捕捉許諾要求コマンドの応答待ち中であるか否かを判断する。ここで、待受中のＩＰ電話端末１−２、１−３は、キーＩＤ「１」のラインキーに対応する回線を使用しておらず、またこの回線に対する捕捉許諾要求コマンドの応答待ち中でもない。そこで、ラインキー制御部１１１は、ＩＰ電話端末１−１から受信した捕捉許諾要求コマンドに対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−１に送信する（Ｓ１２２、Ｓ１２３）。
【００４３】
ＩＰ電話端末１−１において、ラインキー制御コマンド送受信部１０７は、ＬＡＮインターフェース部１００および通信制御部１０１を介してＩＰ電話端末１−２、１−３から許可応答コマンドを受信すると、これらの許可応答コマンドをラインキー制御部１１１に渡す。ラインキー制御部１１１は、すべてのＩＰ電話端末１−２、１−３から受信した応答コマンドが許可応答コマンドであることを確認すると、キーＩＤ「１」のラインキーに対応する回線を捕捉し、その旨をＩＰ電話機能部１０４に通知する。また、キーＩＤ「１」のラインキーに対応する回線の状態が、自ＩＰ電話端末１−１により捕捉中「Ｉ−ＵＳＥ」である旨を表示（例えばキーＩＤ「１」のラインキーを緑点灯）するとともに（Ｓ１２４）、ラインキー情報記憶部１０５を更新する（Ｓ１２５）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「Ｉ−ＵＳＥ」、「ＩＰ電話端末１−１の端末ＩＤ」に更新する。
【００４４】
つぎに、ＩＰ電話端末１−１において、ラインキー制御部１１１は、許諾・通知処理部１０８に、キーＩＤ「１」を通知して回線の捕捉通知を指示する。許諾・通知処理部１０８は、このラインキー制御部１１１の指示に従い、表４の通知コマンドのうち、メッセージエレメント１０７７にキーＩＤ「１」が格納された捕捉通知コマンド（コマンド名：ＣＡＴＣＨＥＤ）をラインキー制御コマンド送受信部１０７に渡す。ラインキー制御コマンド送受信部１０７は、許諾・通知処理部１０８から受け取った捕捉通知コマンドを、通信制御部１０１を介してＬＡＮインターフェース部１００から同報送信する（Ｓ１２６）。
【００４５】
ＩＰ電話端末１−２、１−３において、ラインキー制御コマンド送受信部１０７は、ＬＡＮインターフェース部１００および通信制御部１０１を介してＩＰ電話端末１−１から捕捉通知コマンドを受信すると、この捕捉通知コマンドをラインキー制御部１１１に渡す。これを受けて、ラインキー制御部１１１は、この捕捉通知コマンドのメッセージエレメント１０７７に格納されているキーＩＤ「１」のラインキーに対応する回線の状態が、他のＩＰ電話端末１により使用中「ＵＳＥ」である旨を表示（例えばキーＩＤ「１」のラインキーを赤点灯）するとともに（Ｓ１２７、Ｓ１２８）、ラインキー情報記憶部１０５を更新する（Ｓ１２９、Ｓ１３０）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「ＵＳＥ」、「ＩＰ電話端末１−１の端末ＩＤ」に更新する。
【００４６】
つぎに、ＩＰ電話端末１−２、１−３において、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ１３１、Ｓ１３２）。
【００４７】
つぎに、ＩＰ電話端末１−１において、ＩＰ電話機能部１０４は、マンマシンインターフェース部１０２を介して操作者より発信操作を受け付けると（Ｓ１３３）、その旨をラインキー制御部１１１に通知する。これを受けて、ラインキー制御部１１１は、キーＩＤ「１」のラインキーに対応する回線の状態が、自ＩＰ電話端末１−１により発信中「ＣＡＬＬＩＮＧ」である旨を表示（例えばキーＩＤ「１」のラインキーを緑点灯）するとともに（Ｓ１３４）、ラインキー情報記憶部１０５を更新する（Ｓ１３５）。具体的には、フィールド１０５１にキーＩＤ「１」が登録されているレコード１０５０を検索し、このレコード１０５０のフィールド１０５２に登録されている状態名を「ＣＡＬＬＩＮＧ」に更新する。
【００４８】
つぎに、ＩＰ電話端末１−１において、ＩＰ電話機能部１０４は、キーＩＤ「１」のラインキーに対応する回線の発信処理（ＳＩＰ発信シーケンス）をＨＧＷ２と連携して実施し（Ｓ１３６）、通話相手との間に通話路を確立すると（Ｓ１３７）、その旨をラインキー制御部１１１に通知する。これを受けて、ラインキー制御部１１１は、キーＩＤ「１」のラインキーに対応する回線の状態が、自ＩＰ電話端末１−１により通話中「ＣＯＮＮＥＣＴ」である旨を表示（例えばキーＩＤ「１」のラインキーを緑点灯）するとともに（Ｓ１３８）、ラインキー情報記憶部１０５を更新する（Ｓ１３９）。具体的には、フィールド１０５１にキーＩＤ「１」が登録されているレコード１０５０を検索し、このレコード１０５０のフィールド１０５２に登録されている状態名を「ＣＯＮＮＥＣＴ」に更新する。
【００４９】
つぎに、ＩＰ電話端末１−１において、ラインキー制御部１１１は、許諾・通知処理部１０８に、キーＩＤ「１」を通知して通話通知を指示する。許諾・通知処理部１０８は、このラインキー制御部１１１の指示に従い、表４の通知コマンドのうち、メッセージエレメント１０７７にキーＩＤ「１」が格納された通話通知コマンド（コマンド名：ＣＡＬＬ）をラインキー制御コマンド送受信部１０７に渡す。ラインキー制御コマンド送受信部１０７は、許諾・通知処理部１０８から受け取った通話通知コマンドを、通信制御部１０１を介してＬＡＮインターフェース部１００から同報送信する（Ｓ１４０）。
【００５０】
ＩＰ電話端末１−２、１−３において、ラインキー制御コマンド送受信部１０７は、ＬＡＮインターフェース部１００および通信制御部１０１を介してＩＰ電話端末１−１から通話通知コマンドを受信すると、この通話通知コマンドをラインキー制御部１１１に渡す。これを受けて、ラインキー制御部１１１は、この通話通知コマンドのメッセージエレメント１０７７に格納されているキーＩＤ「１」のラインキーに対応する回線の状態が、他のＩＰ電話端末１により使用中「ＵＳＥ」である旨の表示を継続する。それから、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ１４１、Ｓ１４２）。
【００５１】
図７は、捕捉許諾要求に対する応答がない場合における、本実施の形態に係るＩＰボタン電話システムの発信動作シーケンスを説明するための図である。なお、初期状態において、ＩＰ電話端末１−１〜１−３はすべて待受中（待機中）であるものとする。また、図６と同じ処理を行うステップには同じ符号を付している。
【００５２】
図６に示す動作シーケンスと同様、ＩＰ電話端末１−１は、操作者よりキーＩＤ「１」のラインキーに対応する回線の捕捉操作を受け付けると（Ｓ１２０）、メッセージエレメント１０７７にキーＩＤ「１」が格納された捕捉許諾要求コマンド（コマンド名：ＣＡＴＣＨ）を同報送信する（Ｓ１２１）。
【００５３】
ここで、この捕捉許諾要求コマンドの同報送信に先立って、ＩＰ電話端末１−３が電源オフされたものとする（Ｓ１２０１）。このため、ＩＰ電話端末１−３は、この捕捉許諾要求コマンドに応答しない。ＩＰ電話端末１−２のみが、この捕捉許諾要求コマンドに対して許可応答コマンド（コマンド名：ＡＣＫ）をＩＰ電話端末１−１に送信する（Ｓ１２２）。
【００５４】
つぎに、ＩＰ電話端末１−１において、ラインキー制御部１１１は、ＬＡＮインターフェース部１００、通信制御部１０１およびラインキー制御コマンド送受信部１０７を介して、すべてのＩＰ電話端末１−２、１−３からの応答コマンドを待つ。そして、ＩＰ電話端末１−３から応答コマンドを受信することなく所定時間経過によりタイムアウトすると（Ｓ１２０２）、ラインキー制御部１１１は、ＩＰ電話機能部１０４からＩＰ電話端末１−３の端末ＩＤの登録を削除する（Ｓ１２０３）。そして、ＩＰ電話端末１−３を除くすべてのＩＰ電話端末１−２から受信した応答コマンドが許可応答コマンドであることを確認すると、図６に示す動作シーケンスと同様、キーＩＤ「１」のラインキーに対応する回線を捕捉し、キーＩＤ「１」のラインキーに対応する回線の状態が、自ＩＰ電話端末１−１による捕捉中「Ｉ−ＵＳＥ」である旨を表示（例えばキーＩＤ「１」のラインキーを緑点灯）するとともに（Ｓ１２４）、ラインキー情報記憶部１０５を更新する（Ｓ１２５）。
【００５５】
その後、ＩＰ電話端末１−１は、図６に示すＳ１２６、Ｓ１３３〜Ｓ１４０を実施し、ＩＰ電話端末１−２は、図６に示すＳ１２７、Ｓ１２９、Ｓ１３１、Ｓ１４１を実施する。
【００５６】
図８は、捕捉許諾要求が競合した場合における、本実施の形態に係るＩＰボタン電話システムの発信動作シーケンスを説明するための図である。なお、初期状態において、ＩＰ電話端末１−１〜１−３はすべて待受中（待機中）であるものとする。また、図６と同じ処理を行うステップには同じ符号を付している。
【００５７】
図６に示す動作シーケンスと同様、ＩＰ電話端末１−１は、操作者よりキーＩＤ「１」のラインキーに対応する回線の捕捉操作を受け付けると（Ｓ１２０）、表３の許諾要求コマンドのうち、メッセージエレメント１０７７にキーＩＤ「１」が格納された捕捉許諾要求コマンド（コマンド名：ＣＡＴＣＨ）を同報送信する（Ｓ１２１）。
【００５８】
また、ＩＰ電話端末１−３は、ＩＰ電話端末１−１における回線の捕捉操作の受付と略同じタイミングで、操作者よりキーＩＤ「１」のラインキーに対応する回線の捕捉操作を受け付けると（Ｓ１２１１）、ＩＰ電話端末１−１と同様に、メッセージエレメント１０７７にキーＩＤ「１」が格納された捕捉許諾要求コマンド（コマンド名：ＣＡＴＣＨ）を同報送信する（Ｓ１２１２）。
【００５９】
ＩＰ電話端末１−２において、ラインキー制御コマンド送受信部１０７は、ＬＡＮインターフェース部１００および通信制御部１０１を介してＩＰ電話端末１−１、１−３各々から捕捉許諾要求コマンドを受信すると、これらの捕捉許諾要求コマンドをラインキー制御部１１１に渡す。これを受けて、ラインキー制御部１１１は、これらの捕捉許諾要求コマンド各々について、メッセージエレメント１０７７に格納されているキーＩＤ「１」のラインキーに対応する回線を自ＩＰ電話端末１−２が使用中あるいはこの回線に対する捕捉許諾要求コマンドの応答待ち中であるか否かを判断する。ここで、ＩＰ電話端末１−２は、キーＩＤ「１」のラインキーに対応する回線を使用しておらず、またこの回線に対する補足許諾要求コマンドの応答待ち中でもない。そこで、ラインキー制御部１１１は、ＩＰ電話端末１−１、１−３から受信した捕捉許諾要求コマンド各々に対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−１、１−３に各々送信する（Ｓ１２２、Ｓ１２１３）。
【００６０】
また、ＩＰ電話端末１−３において、ラインキー制御コマンド送受信部１０７は、ＬＡＮインターフェース部１００および通信制御部１０１を介してＩＰ電話端末１−１から捕捉許諾要求コマンドを受信すると、この補足許諾要求コマンドをラインキー制御部１１１に渡す。これを受けて、ラインキー制御部１１１は、この補足許諾要求コマンドのメッセージエレメント１０７７に格納されているキーＩＤ「１」のラインキーに対応する回線を自ＩＰ電話端末１−３が使用中あるいはこの回線に対する補足許諾要求コマンドの応答待ち中であるか否かを判断する。ここで、ＩＰ電話端末１−３は、キーＩＤ「１」のラインキーに対応する回線に対する補足許諾要求コマンドの応答待ち中である。この場合、ラインキー制御部１１１は、ＩＰ電話端末１−１から受信した許諾要求コマンドの種別と自ＩＰ電話端末１−３が送信中の許諾要求コマンドの種別とを比較し、それらが共に捕捉許諾要求コマンドである場合は、さらに自ＩＰ電話端末１−３の優先度とＩＰ電話端末１−１の優先度とを比較する。ここで、優先度は、例えばＩＰ電話端末１の内線番号の順番に設定されており、ＩＰ電話端末１−３の優先度はＩＰ電話端末１−１の優先度より低いものとする。そこで、ラインキー制御部１１１は、優先度の高いＩＰ電話端末１−１から受信した捕捉許諾要求コマンドに対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−１に送信する（Ｓ１２１４）。
【００６１】
また、ＩＰ電話端末１−１において、ラインキー制御コマンド送受信部１０７は、ＬＡＮインターフェース部１００および通信制御部１０１を介してＩＰ電話端末１−３から捕捉許諾要求コマンドを受信すると、この捕捉許諾要求コマンドをラインキー制御部１１１に渡す。これを受けて、ラインキー制御部１１１は、この捕捉許諾要求コマンドのメッセージエレメント１０７７に格納されているキーＩＤ「１」のラインキーに対応する回線を自ＩＰ電話端末１−１が使用中あるいはこの回線に対する捕捉許諾要求コマンドの応答待ち中であるか否かを判断する。ここで、ＩＰ電話端末１−１は、キーＩＤ「１」のラインキーに対応する回線に対する許諾要求コマンドの応答待ち中である。この場合、ラインキー制御部１１１は、ＩＰ電話端末１−３から受信した許諾要求コマンドの種別と自ＩＰ電話端末１−１が送信中の許諾要求コマンドの種別とを比較し、それらが共に捕捉許諾要求コマンドである場合は、さらに自ＩＰ電話端末１−１の優先度とＩＰ電話端末１−３の優先度とを比較する。ここで、優先度は、上述したように、例えばＩＰ電話端末１の内線番号の順番に設定されており、ＩＰ電話端末１−１の優先度はＩＰ電話端末１−３の優先度より高いものとする。そこで、ラインキー制御部１１１は、優先度の低いＩＰ電話端末１−３から受信した捕捉許諾要求コマンドに対する拒否応答の返信を応答処理部１０９に指示する。応答処理部１０９は、このラインキー制御部１１１の指示に従い、表５の応答コマンドのうち、拒否応答コマンド（コマンド名：ＮＡＣＫ）をラインキー制御コマンド送受信部１０７に渡す。ラインキー制御コマンド送受信部１０７は、応答処理部１０９から受け取った拒否応答コマンドを、通信制御部１０１を介してＬＡＮインターフェース部１００からＩＰ電話端末１−３に送信する（Ｓ１２１５）。
【００６２】
ＩＰ電話端末１−３において、ラインキー制御コマンド送受信部１０７は、ＬＡＮインターフェース部１００および通信制御部１０１を介してＩＰ電話端末１−１から拒否応答コマンドを受信すると、キーＩＤ「１」のラインキーに対応する回線の捕捉を断念する。その後、ＩＰ電話端末１−１は、図６に示すＳ１２４〜Ｓ１２６、Ｓ１３３〜Ｓ１４０を実施し、ＩＰ電話端末１−２は、図６に示すＳ１２７、Ｓ１２９、Ｓ１３１、Ｓ１４１を実施し、ＩＰ電話端末１−３は、図６に示すＳ１２８、Ｓ１３０、Ｓ１３２、Ｓ１４２を実施する。
【００６３】
図９は、捕捉中の回線に着信した場合における、本実施の形態に係るＩＰボタン電話システムの発信動作シーケンスを説明するための図である。なお、初期状態において、ＩＰ電話端末１−１〜１−３はすべて待受中（待機中）であるものとする。また、図６と同じ処理を行うステップには同じ符号を付している。
【００６４】
図６に示す動作シーケンスと同様、ＩＰ電話端末１−１は、操作者よりキーＩＤ「１」のラインキーに対応する回線の捕捉操作を受け付けると（Ｓ１２０）、メッセージエレメント１０７７にキーＩＤ「１」が格納された捕捉許諾要求コマンド（コマンド名：ＣＡＴＣＨ）を同報送信する（Ｓ１２１）。また、ＩＰ電話端末１−２、１−３は、キーＩＤ「１」のラインキーに対応する回線を使用しておらず、またこの回線に対する捕捉許諾要求コマンドの応答待ち中でもないので、許可応答コマンド（コマンド名：ＡＣＫ）をＩＰ電話端末１−１に送信する（Ｓ１２２、Ｓ１２３）。これを受けて、ＩＰ電話端末１−１は、キーＩＤ「１」のラインキーに対応する回線を捕捉し、キーＩＤ「１」のラインキーに対応する回線の状態が、自ＩＰ電話端末１−１により捕捉中「Ｉ−ＵＳＥ」である旨を表示（例えばキーＩＤ「１」のラインキーを緑点灯）するとともに（Ｓ１２４）、ラインキー情報記憶部１０５を更新する（Ｓ１２５）。
【００６５】
ここで、ＩＰ電話端末１−３において、ＩＰ電話機能部１０４は、ＩＰ電話端末１−１における回線の捕捉後に、ＬＡＮインターフェース部１００および通信制御部１０１を介してＨＧＷ２より、キーＩＤ「１」のラインキーに対応する回線の指定を伴うＩＮＶＩＴＥメッセージを受信すると（Ｓ１２３１）、その旨をラインキー制御部１１１に通知するとともに、１００  ＴｒｙｉｎｇメッセージをＨＧＷ２に返信する（Ｓ１２３２）。これを受けて、ラインキー制御部１１１は、許諾・通知処理部１０８に、キーＩＤ「１」を通知して回線の着信要求を指示する。許諾・通知処理部１０８は、このラインキー制御部１１１の指示に従い、表３の許諾要求コマンドのうち、メッセージエレメント１０７７にキーＩＤ「１」が格納された着信許諾要求コマンド（コマンド名：ＩＮＣＯＭＩＮＧ）をラインキー制御コマンド送受信部１０７に渡す。ラインキー制御コマンド送受信部１０７は、許諾・通知処理部１０８から受け取った着信許諾要求コマンドを、通信制御部１０１を介してＬＡＮインターフェース部１００から同報送信する（Ｓ１２３２）。
【００６６】
ＩＰ電話端末１−２において、ラインキー制御コマンド送受信部１０７は、ＬＡＮインターフェース部１００および通信制御部１０１を介してＩＰ電話端末１−３から着信許諾要求コマンドを受信すると、この着信許諾要求コマンドをラインキー制御部１１１に渡す。これを受けて、ラインキー制御部１１１は、この許諾要求コマンドのメッセージエレメント１０７７に格納されているキーＩＤ「１」のラインキーに対応する回線を自ＩＰ電話端末１−２が使用中あるいはこの回線に対応する着信許諾要求コマンドの応答待ち中であるか否かを判断する。ここで、ＩＰ電話端末１−２は、キーＩＤ「１」のラインキーに対応する回線を使用しておらず、またこの回線に対する着信許諾要求コマンドの応答待ち中でもない。そこで、ラインキー制御部１１１は、ＩＰ電話端末１−３から受信した着信許諾要求コマンドに対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−３に送信する（Ｓ１２３３）。
【００６７】
また、ＩＰ電話端末１−１において、ラインキー制御コマンド送受信部１０７は、ＬＡＮインターフェース部１００および通信制御部１０１を介してＩＰ電話端末１−３から着信許諾要求コマンドを受信すると、この着信許諾要求コマンドをラインキー制御部１１１に渡す。これを受けて、ラインキー制御部１１１は、この着信許諾要求コマンドのメッセージエレメント１０７７に格納されているキーＩＤ「１」のラインキーに対応する回線を自ＩＰ電話端末１−１が使用中あるいはこの回線に対する許諾要求コマンドの応答待ち中であるか否かを判断する。ここで、ＩＰ電話端末１−１は、キーＩＤ「１」のラインキーに対応する回線を使用中（捕捉中）である。そこで、ラインキー制御部１１１は、ＩＰ電話端末１−３から受信した着信許諾要求コマンドに対する拒否応答の返信を応答処理部１０９に指示する。応答処理部１０９は、このラインキー制御部１１１の指示に従い、表５の応答コマンドのうち、拒否応答コマンド（コマンド名：ＮＡＣＫ）をラインキー制御コマンド送受信部１０７に渡す。ラインキー制御コマンド送受信部１０７は、応答処理部１０９から受け取った拒否応答コマンドを、通信制御部１０１を介してＬＡＮインターフェース部１００からＩＰ電話端末１−３に送信する（Ｓ１２３４）。
【００６８】
ＩＰ電話端末１−３において、ラインキー制御部１１１は、ＬＡＮインターフェース部１００、通信制御部１０１およびラインキー制御コマンド送受信部１０７を介してＩＰ電話端末１−１から拒否応答コマンドを受信すると、キーＩＤ「１」のラインキーに対応する回線の着信拒否をＩＰ電話機能部１０４に指示する。これを受けて、ＩＰ電話機能部１０４は、通信制御部１０１およびＬＡＮインターフェース部１００を介してＨＧＷ２に、４８６  ＢＵＳＹ  ＨＥＲＥメッセージを送信する（Ｓ１２３５）。
【００６９】
その後、ＩＰ電話端末１−１は、図６に示すＳ１２６、Ｓ１３３〜Ｓ１４０を実施し、ＩＰ電話端末１−２は、図６に示すＳ１２７、Ｓ１２９、Ｓ１３１、Ｓ１４１を実施し、ＩＰ電話端末１−３は、図６に示すＳ１２８、Ｓ１３０、Ｓ１３２、Ｓ１４２を実施する。
【００７０】
図１０は、本実施の形態に係るＩＰボタン電話システムの個別着信動作シーケンスを説明するための図である。なお、初期状態において、ＩＰ電話端末１−１〜１−３はすべて待受中（待機中）であるものとする。
【００７１】
まず、ＩＰ電話端末１−１において、ＩＰ電話機能部１０４は、ＬＡＮインターフェース部１００および通信制御部１０１を介してＨＧＷ２より、キーＩＤ「１」のラインキーに対応する回線の指定を伴うＩＮＶＩＴＥメッセージを受信すると（Ｓ１５０）、その旨をラインキー制御部１１１に通知するとともに、通信制御部１０１およびＬＡＮインターフェース部１００を介して１００  ＴｒｙｉｎｇメッセージをＨＧＷ２に返信する（Ｓ１５１）。これを受けて、ラインキー制御部１１１は、許諾・通知処理部１０８に、キーＩＤ「１」を通知して回線の着信要求を指示する。許諾・通知処理部１０８は、このラインキー制御部１１１の指示に従い、表３の許諾要求コマンドのうち、メッセージエレメント１０７７にキーＩＤ「１」および個別着信である旨が記述された着信許諾要求コマンド（コマンド名：ＩＮＣＯＭＩＮＧ）をラインキー制御コマンド送受信部１０７に渡す。ラインキー制御コマンド送受信部１０７は、許諾・通知処理部１０８から受け取った着信許諾要求コマンドを、通信制御部１０１を介してＬＡＮインターフェース部１００から同報送信する（Ｓ１５２）。
【００７２】
ＩＰ電話端末１−２、１−３において、ラインキー制御コマンド送受信部１０７は、ＬＡＮインターフェース部１００および通信制御部１０１を介してＩＰ電話端末１−１から着信許諾要求コマンドを受信すると、この許諾要求コマンドをラインキー制御部１１１に渡す。これを受けて、ラインキー制御部１１１は、この許諾要求コマンドのメッセージエレメント１０７７に格納されているキーＩＤ「１」のラインキーに対応する回線を自ＩＰ電話端末１が使用中あるいはこの回線に対する許諾要求コマンドの応答待ち中であるか否かを判断する。ここで、ＩＰ電話端末１−２、１−３は、ともに、キーＩＤ「１」のラインキーに対応する回線を使用しておらず、またこの回線に対する許諾要求コマンドの応答待ち中でもない。そこで、ラインキー制御部１１１は、ＩＰ電話端末１−１から受信した着信許諾要求コマンドに対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−１に送信する（Ｓ１５３、Ｓ１５４）。
【００７３】
ＩＰ電話端末１−１において、ラインキー制御コマンド送受信部１０７は、ＬＡＮインターフェース部１００および通信制御部１０１を介してＩＰ電話端末１−２、１−３から許可応答コマンドを受信すると、これらの応答コマンドをラインキー制御部１１１に渡す。ラインキー制御部１１１は、すべてのＩＰ電話端末１−２、１−３から受信した応答コマンドが許可応答コマンドであることを確認すると、キーＩＤ「１」のラインキーに対応する回線の着信が許可された旨をＩＰ電話機能部１０４に通知する。これを受けて、ＩＰ電話機能部１０４は、ＨＧＷ２に１８０  Ｒｉｎｇｉｎｇメッセージを送信する（Ｓ１５５）。また、ラインキー制御部１１１は、キーＩＤ「１」のラインキーに対応する回線の状態が、自ＩＰ電話端末１−１への着信中「ＦＬＡＳＨ」である旨を表示（例えばキーＩＤ「１」のラインキーを赤点滅）するとともに（Ｓ１５６）、ラインキー情報記憶部１０５を更新する（Ｓ１５７）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「ＦＬＡＳＨ」、「ＩＰ電話端末１−１の端末ＩＤ」に更新する。
【００７４】
つぎに、ＩＰ電話端末１−１において、ラインキー制御部１１１は、許諾・通知処理部１０８に、キーＩＤ「１」を通知して回線の着信通知を指示する。許諾・通知処理部１０８は、このラインキー制御部１１１の指示に従い、表４の通知コマンドのうち、メッセージエレメント１０７７にキーＩＤ「１」が格納された着信通知コマンド（コマンド名：ＩＮＣ＿ＮＯＴＩＦＹ）をラインキー制御コマンド送受信部１０７に渡す。ラインキー制御コマンド送受信部１０７は、許諾・通知処理部１０８から受け取った着信通知コマンドを、通信制御部１０１を介してＬＡＮインターフェース部１００から同報送信する（Ｓ１５８）。
【００７５】
ＩＰ電話端末１−２、１−３において、ラインキー制御コマンド送受信部１０７は、ＬＡＮインターフェース部１００および通信制御部１０１を介してＩＰ電話端末１−１から着信通知コマンドを受信すると、この通知コマンドをラインキー制御部１１１に渡す。これを受けて、ラインキー制御部１１１は、この通知コマンドのメッセージエレメント１０７７に格納されているキーＩＤ「１」のラインキーに対応する回線の状態が、他のＩＰ電話端末１により使用中「ＵＳＥ」である旨を表示（例えばキーＩＤ「１」のラインキーを赤点灯）するとともに（Ｓ１５９、Ｓ１６０）、ラインキー情報記憶部１０５を更新する（Ｓ１６１、Ｓ１６２）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「ＵＳＥ」、「ＩＰ電話端末１−１の端末ＩＤ」に更新する。
【００７６】
つぎに、ＩＰ電話端末１−２、１−３において、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ１６３、Ｓ１６４）。
【００７７】
つぎに、ＩＰ電話端末１−１において、ＩＰ電話機能部１０４は、マンマシンインターフェース部１０２を介して操作者より応答操作を受け付けると（Ｓ１６５）、通信制御部１０１およびＬＡＮインターフェース部１００を介してＨＧＷ２に２００  ＯＫメッセージを送信する（Ｓ１６６）。これにより、通話相手との間に通話路が確立されると（Ｓ１６７）、ＩＰ電話機能部１０４は、その旨をラインキー制御部１１１に通知する。これを受けて、ラインキー制御部１１１は、キーＩＤ「１」のラインキーに対応する回線の状態が、自ＩＰ電話端末１−１により通話中「ＣＯＮＮＥＣＴ」である旨を表示（例えばキーＩＤ「１」のラインキーを緑点灯）するとともに（Ｓ１６８）、ラインキー情報記憶部１０５を更新する（Ｓ１６９）。具体的には、フィールド１０５１にキーＩＤ「１」が登録されているレコード１０５０を検索し、このレコード１０５０のフィールド１０５２に登録されている状態名を「ＣＯＮＮＥＣＴ」に更新する。
【００７８】
つぎに、ＩＰ電話端末１−１において、ラインキー制御部１１１は、許諾・通知処理部１０８に、キーＩＤ「１」を通知して通話通知を指示する。許諾・通知処理部１０８は、このラインキー制御部１１１の指示に従い、表４の通知コマンドのうち、メッセージエレメント１０７７にキーＩＤ「１」が格納された通話通知コマンド（コマンド名：ＣＡＬＬ）をラインキー制御コマンド送受信部１０７に渡す。ラインキー制御コマンド送受信部１０７は、許諾・通知処理部１０８から受け取った通話通知コマンドを、通信制御部１０１を介してＬＡＮインターフェース部１００から同報送信する（Ｓ１７０）。
【００７９】
ＩＰ電話端末１−２、１−３において、ラインキー制御コマンド送受信部１０７は、ＬＡＮインターフェース部１００および通信制御部１０１を介してＩＰ電話端末１−１から通話通知コマンドを受信すると、この通話通知コマンドをラインキー制御部１１１に渡す。これを受けて、ラインキー制御部１１１は、この通話通知コマンドのメッセージエレメント１０７７に格納されているキーＩＤ「１」のラインキーに対応する回線の状態が、他のＩＰ電話端末１により使用中「ＵＳＥ」である旨の表示を継続する。それから、ラインキー制御部１１１は、確認応答の返信を応答処理部１０９に指示する。応答処理部１０９は、このラインキー制御部１１１の指示に従い、表５の応答コマンドのうち、ラインキー制御コマンド送受信部１０７に確認応答コマンド（コマンド名：ＡＣＫ）を渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ１７１、Ｓ１７２）。
【００８０】
ここで、個別着信が競合した場合、例えばＩＰ電話端末１−１、１−２に同じ回線にＩＮＶＩＴＥメッセージが同時に個別着信した場合は、つぎのように動作する。
【００８１】
すなわち、ＩＰ電話端末１−１、１−２は、それぞれ、メッセージエレメント１０７７に個別着信した回線に対応するキーＩＤおよび個別着信である旨を記述した着信許諾要求コマンドを同報送信する。このため、他のＩＰ電話端末１から着信許諾要求コマンドに対する応答コマンドを受信する前に、他のＩＰ電話端末１から着信許諾要求コマンドを受信することになる。この場合、ＩＰ電話端末１−１、１−２は、他のＩＰ電話端末１から受信した着信許諾要求コマンドの種別と自ＩＰ電話端末１が送信した着信許諾要求コマンドの種別とを比較し、それらがともに個別着信の着信許諾要求コマンドであるので、自ＩＰ電話端末１および自ＩＰ電話端末１が受信した着信許諾要求コマンドの送信元の優先度（例えばＩＰ電話端末１の内線番号の順番）を比較する。そして、自ＩＰ電話端末１の優先度が高ければ、自ＩＰ電話端末１が受信した着信許諾要求コマンドの送信元に拒否応答コマンドを返信し、自ＩＰ電話端末１の優先度が低ければ、自ＩＰ電話端末１が受信した着信許諾要求コマンドの送信元に許可応答コマンドを返信する。
【００８２】
それから、ＩＰ電話端末１−１、１−２は、他のすべてのＩＰ電話端末１から許可応答コマンドを受信したならば、図１０のＳ１５５〜Ｓ１５８、Ｓ１６５〜Ｓ１７０を実施する。一方、いずれかのＩＰ電話端末１から拒否方向コマンドを受信したならば、ＨＧＷ２に４８６  ＢＵＳＹ  ＨＥＲＥメッセージを送信し、その後、図１０のＳ１５９〜Ｓ１６４、Ｓ１７１、Ｓ１７２を実施する。
【００８３】
図１１は、捕捉要求と着信要求とが競合した場合における、本実施の形態に係るＩＰボタン電話システムの個別着信動作シーケンスを説明するための図である。なお、初期状態において、ＩＰ電話端末１−１〜１−３はすべて待受中（待機中）であるものとする。また、図１０と同じ処理を行うステップには同じ符号を付している。
【００８４】
図１０に示す動作シーケンスと同様、ＩＰ電話端末１−１は、ＨＧＷ２からキーＩＤ「１」のラインキーに対応する回線の指定を伴うＩＮＶＩＴＥメッセージを受信すると（Ｓ１５０）、１００  ＴｒｙｉｎｇメッセージをＨＧＷ２に返信するとともに（Ｓ１５１）、表３の許諾要求コマンドのうち、メッセージエレメント１０７７にキーＩＤ「１」が格納された着信許諾要求コマンド（コマンド名：ＩＮＣＯＭＩＮＧ）を同報送信する（Ｓ１５２）。
【００８５】
また、ＩＰ電話端末１−３は、ＩＰ電話端末１−１における回線着信と略同じタイミングで、操作者よりキーＩＤ「１」のラインキーに対応する回線の捕捉操作を受け付けると（Ｓ１２２１）、表３の許諾要求コマンドのうち、メッセージエレメント１０７７にキーＩＤ「１」が格納された捕捉許諾要求コマンド（コマンド名：ＣＡＴＣＨ）を同報送信する（Ｓ１２２２）。
【００８６】
ＩＰ電話端末１−２において、ラインキー制御コマンド送受信部１０７は、ＬＡＮインターフェース部１００および通信制御部１０１を介してＩＰ電話端末１−１、１−３各々から許諾要求コマンドを受信すると、これらの許諾要求コマンドをラインキー制御部１１１に渡す。これを受けて、ラインキー制御部１１１は、これらの許諾要求コマンド各々について、メッセージエレメント１０７７に格納されているキーＩＤ「１」のラインキーに対応する回線を自ＩＰ電話端末１−２が使用中あるいはこの回線に対する許諾要求コマンドの応答待ち中であるか否かを判断する。ここで、ＩＰ電話端末１−２は、キーＩＤ「１」のラインキーに対応する回線を使用しておらず、またこの回線に対する許諾要求コマンドの応答待ち中でもない。そこで、ラインキー制御部１１１は、ＩＰ電話端末１−１、１−３各々から受信した許諾要求コマンドに対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−１、１−３に各々送信する（Ｓ１５３、Ｓ１２２３）。
【００８７】
また、ＩＰ電話端末１−３において、ラインキー制御コマンド送受信部１０７は、ＬＡＮインターフェース部１００および通信制御部１０１を介してＩＰ電話端末１−１から着信許諾要求コマンドを受信すると、この着信許諾要求コマンドをラインキー制御部１１１に渡す。これを受けて、ラインキー制御部１１１は、この着信許諾要求コマンドのメッセージエレメント１０７７に格納されているキーＩＤ「１」のラインキーに対応する回線を自ＩＰ電話端末１−３が使用中あるいはこの回線に対する許諾要求コマンドの応答待ち中であるか否かを判断する。ここで、ＩＰ電話端末１−３は、キーＩＤ「１」のラインキーに対応する回線に対する捕捉許諾要求コマンドの応答待ち中である。この場合、ラインキー制御部１１１は、ＩＰ電話端末１−１から受信した着信許諾要求コマンドの種別と自ＩＰ電話端末１−３が送信した捕捉許諾要求コマンドの種別とを比較し、それらの許諾要求コマンドの種別が異なる場合は、さらに、それらの許諾要求コマンドの優先度を比較する。ここで、自ＩＰ電話端末１−３が送信した捕捉許諾要求コマンドは、ＩＰ電話端末１−１から受信した着信許諾要求コマンドよりも優先度が低い。そこで、ラインキー制御部１１１は、ＩＰ電話端末１−１から受信した、優先度の高い着信許諾要求コマンドに対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００からＩＰ電話端末１−１に送信する（Ｓ１２２４）。
【００８８】
また、ＩＰ電話端末１−１において、ラインキー制御コマンド送受信部１０７は、ＬＡＮインターフェース部１００および通信制御部１０１を介してＩＰ電話端末１−３から捕捉許諾要求コマンドを受信すると、この捕捉許諾要求コマンドをラインキー制御部１１１に渡す。これを受けて、ラインキー制御部１１１は、この捕捉許諾要求コマンドのメッセージエレメント１０７７に格納されているキーＩＤ「１」のラインキーに対応する回線を自ＩＰ電話端末１−１が使用中あるいはこの回線に対する許諾要求コマンドの応答待ち中であるか否かを判断する。ここで、ＩＰ電話端末１−１は、キーＩＤ「１」のラインキーに対応する回線に対する着信許諾要求コマンドの応答待ち中である。この場合、ラインキー制御部１１１は、ＩＰ電話端末１−３から受信した捕捉許諾要求コマンドの種別と自ＩＰ電話端末１−１が送信した着信許諾要求コマンドの種別とを比較し、それらの許諾要求コマンドの種別が異なる場合は、さらに、それらの許諾要求コマンドの優先度を比較する。ここで、自ＩＰ電話端末１−１が送信した着信許諾要求コマンドは、ＩＰ電話端末１−３から受信した捕捉許諾要求コマンドよりも優先度が高い。そこで、ラインキー制御部１１１は、ＩＰ電話端末１−３から受信した、優先度の低い捕捉許諾要求コマンドに対し拒否応答の返信を応答処理部１０９に指示する。応答処理部１０９は、このラインキー制御部１１１の指示に従い、表５の応答コマンドのうち、拒否応答コマンド（コマンド名：ＮＡＣＫ）をラインキー制御コマンド送受信部１０７に渡す。ラインキー制御コマンド送受信部１０７は、応答処理部１０９から受け取った拒否応答コマンドを、通信制御部１０１を介してＬＡＮインターフェース部１００からＩＰ電話端末１−３に送信する（Ｓ１２２５）。
【００８９】
ＩＰ電話端末１−３において、ラインキー制御コマンド送受信部１０７は、ＬＡＮインターフェース部１００および通信制御部１０１を介してＩＰ電話端末１−１から拒否応答コマンドを受信すると、キーＩＤ「１」のラインキーに対応する回線の捕捉を断念する。その後、ＩＰ電話端末１−１は、図１０に示すＳ１５５〜Ｓ１５８、Ｓ１６５〜Ｓ１７０を実施し、ＩＰ電話端末１−２は、図１０に示すＳ１５９、Ｓ１６１、Ｓ１６３、Ｓ１７１を実施し、ＩＰ電話端末１−３は、図１０に示すＳ１６０、Ｓ１６２、Ｓ１６４、Ｓ１７２を実施する。
【００９０】
図１２および図１３は、本実施の形態に係るＩＰボタン電話システムの放送着信動作シーケンスを説明するための図である。なお、初期状態において、ＩＰ電話端末１−１〜１−３はすべて待受中（待機中）であるものとする。
【００９１】
まず、ＩＰ電話端末１−１〜１−３において、ＩＰ電話機能部１０４は、ＬＡＮインターフェース部１００および通信制御部１０１を介してＨＧＷ２より、キーＩＤ「１」のラインキーに対応する回線の指定を伴うＩＮＶＩＴＥメッセージを受信すると（Ｓ１８０〜Ｓ１８２）、その旨をラインキー制御部１１１に通知するとともに、通信制御部１０１およびＬＡＮインターフェース部１００を介してＨＧＷ２に、１００  Ｔｒｙｉｎｇメッセージを返信する（Ｓ１８３〜Ｓ１８５）。これを受けて、ラインキー制御部１１１は、許諾・通知処理部１０８に、キーＩＤ「１」を通知して回線の着信要求を指示する。許諾・通知処理部１０８は、このラインキー制御部１１１の指示に従い、表３の許諾要求コマンドのうち、メッセージエレメント１０７７にキーＩＤ「１」および放送着信である旨が記述された着信許諾要求コマンド（コマンド名：ＩＮＣＯＭＩＮＧ）をラインキー制御コマンド送受信部１０７に渡す。ラインキー制御コマンド送受信部１０７は、許諾・通知処理部１０８から受け取った着信許諾要求コマンドを、通信制御部１０１を介してＬＡＮインターフェース部１００から同報送信する（Ｓ１８６〜Ｓ１８８）。
【００９２】
ＩＰ電話端末１−１〜１−３において、ラインキー制御コマンド送受信部１０７は、ＬＡＮインターフェース部１００および通信制御部１０１を介して他のＩＰ電話端末１から着信許諾要求コマンドを受信すると、この着信許諾要求コマンドをラインキー制御部１１１に渡す。これを受けて、ラインキー制御部１１１は、この着信許諾要求コマンドのメッセージエレメント１０７７に格納されているキーＩＤ「１」のラインキーに対応する回線を自ＩＰ電話端末１が使用中もしくはこの回線に対する許諾要求コマンドの応答待ち中であるか否かを判断する。ここで、ＩＰ電話端末１−１〜１−３は、キーＩＤ「１」のラインキーに対応する回線に対する着信許諾要求コマンドの応答待ち中である。この場合、ラインキー制御部１１１は、他のＩＰ電話端末１から受信した着信許諾要求コマンドの種別と自ＩＰ電話端末１が送信した着信許諾要求コマンドの種別とを比較し、それらがともに放送着信の着信許諾要求コマンドであるので、他のＩＰ電話端末１から受信した着信許諾要求コマンド各々に対する許可応答の返信を応答処理部１０９に指示する。応答処理部１０９は、このラインキー制御部１１１の指示に従い、表５の応答コマンドのうち、許可応答コマンド（コマンド名：ＡＣＫ）をラインキー制御コマンド送受信部１０７に渡す。ラインキー制御コマンド送受信部１０７は、応答処理部１０９から受け取った許可応答コマンドを、通信制御部１０１を介してＬＡＮインターフェース部１００から許諾要求コマンド送信元の他のＩＰ電話端末１に送信する（Ｓ１８９〜Ｓ１９４）。
【００９３】
ＩＰ電話端末１−１〜１−３において、ラインキー制御コマンド送受信部１０７は、ＬＡＮインターフェース部１００および通信制御部１０１を介して他のすべてのＩＰ電話端末１から許可応答コマンドを受信すると、これらの応答コマンドをラインキー制御部１１１に渡す。ラインキー制御部１１１は、他のすべてのＩＰ電話端末１から受信した応答コマンドが許可応答コマンドであることを確認すると、キーＩＤ「１」のラインキーに対応する回線の着信が許可された旨をＩＰ電話機能部１０４に通知する。これを受けて、ＩＰ電話機能部１０４は、ＨＧＷ２に１８０  Ｒｉｎｇｉｎｇメッセージを送信する（Ｓ１９５〜Ｓ１９７）。また、ラインキー制御部１１１は、キーＩＤ「１」のラインキーに対応する回線の状態が、自ＩＰ電話端末１への着信中「ＦＬＡＳＨ」である旨を表示（例えばキーＩＤ「１」のラインキーを赤点滅）するとともに（Ｓ１９８〜Ｓ２００）、ラインキー情報記憶部１０５を更新する（Ｓ２０１〜Ｓ２０３）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「ＦＬＡＳＨ」、「自ＩＰ電話端末１の端末ＩＤ」に更新する。
【００９４】
つぎに、ＩＰ電話端末１−１〜１−３において、ラインキー制御部１１１は、許諾・通知処理部１０８に、キーＩＤ「１」を通知して回線の着信通知を指示する。許諾・通知処理部１０８は、このラインキー制御部１１１の指示に従い、表４の通知コマンドのうち、メッセージエレメント１０７７にキーＩＤ「１」が格納された着信通知コマンド（コマンド名：ＩＮＣ＿ＮＯＴＩＦＹ）をラインキー制御コマンド送受信部１０７に渡す。ラインキー制御コマンド送受信部１０７は、許諾・通知処理部１０８から受け取った着信通知コマンドを、通信制御部１０１を介してＬＡＮインターフェース部１００から同報送信する（Ｓ２０４〜Ｓ２０６）。
【００９５】
ＩＰ電話端末１−１〜１−３において、ラインキー制御コマンド送受信部１０７は、ＬＡＮインターフェース部１００および通信制御部１０１を介して他のＩＰ電話端末１から着信通知コマンドを受信すると、この着信通知コマンドをラインキー制御部１１１に渡す。この場合、ラインキー制御部１１１は、この着信通知コマンドのメッセージエレメント１０７７に格納されているキーＩＤ「１」のラインキーに対応する回線の状態が、自ＩＰ電話端末１への着信中「ＦＬＡＳＨ」である旨の表示を継続する。また、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００から着信通知コマンド送信元の他のＩＰ電話端末１に送信する（Ｓ２０７〜Ｓ２１２）。
【００９６】
つぎに、ＩＰ電話端末１−１において、ＩＰ電話機能部１０４は、マンマシンインターフェース部１０２を介して操作者より応答操作を受け付けると（Ｓ２１３）、通信制御部１０１およびＬＡＮインターフェース部１００を介してＨＧＷ２に２００  ＯＫメッセージを送信する（Ｓ２１４）。これにより、通話相手との間に通話路が確立されると（Ｓ２１５）、ＩＰ電話機能部１０４は、その旨をラインキー制御部１１１に通知する。これを受けて、ラインキー制御部１１１は、キーＩＤ「１」のラインキーに対応する回線の状態が、自ＩＰ電話端末１−１により通話中「ＣＯＮＮＥＣＴ」である旨を表示（例えばキーＩＤ「１」のラインキーを緑点灯）するとともに（Ｓ２１６）、ラインキー情報記憶部１０５を更新する（Ｓ２１７）。具体的には、フィールド１０５１にキーＩＤ「１」が登録されているレコード１０５０を検索し、このレコード１０５０のフィールド１０５２に登録されている状態名を「ＣＯＮＮＥＣＴ」に更新する。
【００９７】
つぎに、ＩＰ電話端末１−１において、ラインキー制御部１１１は、許諾・通知処理部１０８に、キーＩＤ「１」を通知して通話通知を指示する。許諾・通知処理部１０８は、このラインキー制御部１１１の指示に従い、表４の通知コマンドのうち、メッセージエレメント１０７７にキーＩＤ「１」が格納された通話通知コマンド（コマンド名：ＣＡＬＬ）をラインキー制御コマンド送受信部１０７に渡す。ラインキー制御コマンド送受信部１０７は、許諾・通知処理部１０８から受け取った通話通知コマンドを、通信制御部１０１を介してＬＡＮインターフェース部１００から同報送信する（Ｓ２１８）。
【００９８】
ＩＰ電話端末１−２、１−３において、ラインキー制御コマンド送受信部１０７は、ＬＡＮインターフェース部１００および通信制御部１０１を介してＩＰ電話端末１−１から通話通知コマンドを受信すると、この通話通知コマンドをラインキー制御部１１１に渡す。この場合、ラインキー制御部１１１は、この通話通知コマンドのメッセージエレメント１０７７に格納されているキーＩＤ「１」のラインキーに対応する回線の状態が、他のＩＰ電話端末１により使用中「ＵＳＥ」である旨の表示（例えばキーＩＤ「１」のラインキーを赤点灯）に変更するとともに（Ｓ２１９、Ｓ２２０）、ラインキー情報記憶部１０５を更新する（Ｓ２２１、Ｓ２２２）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「ＵＳＥ」、「ＩＰ電話端末１−１の端末ＩＤ」に更新する。それから、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ２２３、Ｓ２２４）。
【００９９】
つぎに、ＩＰ電話端末１−２、１−３において、ＩＰ電話機能部１０４は、ＬＡＮインターフェース部１００および通信制御部１０１を介してＨＧＷ２より、キーＩＤ「１」のラインキーに対応する回線の指定を伴うＣＡＮＣＥＬメッセージを受信すると（Ｓ２２５、Ｓ２２６）、通信制御部１０１およびＬＡＮインターフェース部１００を介してＨＧＷ２に２００  ＯＫメッセージを返信する（Ｓ２２７、Ｓ２２８）。その後、ＨＧＷ２に４８７  Ｒｅｑｕｅｓｔ  Ｔｅｒｍｉｎａｔｅｄメッセージを送信して（Ｓ２２９、Ｓ２３０）、ＨＧＷ２から２００  ＯＫメッセージを受信する（Ｓ２３１、Ｓ２３２）。
【０１００】
図１４は、本実施の形態に係るＩＰボタン電話システムの保留動作シーケンスを説明するための図である。なお、初期状態において、ＩＰ電話端末１−１はキーＩＤ「１」のラインキーに対応する回線を用いて通話中であり、ＩＰ電話端末１−２、１−３は待受中（待機中）であるものとする。
【０１０１】
まず、ＩＰ電話端末１−１において、ＩＰ電話機能部１０４は、マンマシンインターフェース部１０２を介して操作者より保留操作を受け付けると（Ｓ２４０）、キーＩＤ「１」のラインキーに対応する回線の保留処理（ＳＩＰ保留シーケンス）をＨＧＷ２と連携して実施し（Ｓ２４１）、通話中の回線を保留する（Ｓ２４２）。そして、その旨をラインキー制御部１１１に通知する。これを受けて、ラインキー制御部１１１は、キーＩＤ「１」のラインキーに対応する回線の状態が、自ＩＰ電話端末１−１による保留中「Ｉ−ＨＯＬＤ」である旨を表示（例えばキーＩＤ「１」のラインキーを緑点滅）するとともに（Ｓ２４３）、ラインキー情報記憶部１０５を更新する（Ｓ２４４）。具体的には、フィールド１０５１にキーＩＤ「１」が登録されているレコード１０５０を検索し、このレコード１０５０のフィールド１０５２に登録されている状態名を「Ｉ−ＨＯＬＤ」に更新する。それから、ラインキー制御部１１１は、許諾・通知処理部１０８に、キーＩＤ「１」を通知して回線の保留通知を指示する。許諾・通知処理部１０８は、このラインキー制御部１１１の指示に従い、表４の通知コマンドのうち、メッセージエレメント１０７７にキーＩＤ「１」が格納された保留通知コマンド（コマンド名：ＨＯＬＤ）をラインキー制御コマンド送受信部１０７に渡す。ラインキー制御コマンド送受信部１０７は、許諾・通知処理部１０８から受け取った保留通知コマンドを、通信制御部１０１を介してＬＡＮインターフェース部１００から同報送信する（Ｓ２４５）。
【０１０２】
ＩＰ電話端末１−２、１−３において、ラインキー制御コマンド送受信部１０７は、ＬＡＮインターフェース部１００および通信制御部１０１を介してＩＰ電話端末１−１から保留通知コマンドを受信すると、この通知コマンドをラインキー制御部１１１に渡す。この場合、ラインキー制御部１１１は、この保留通知コマンドのメッセージエレメント１０７７に格納されているキーＩＤ「１」のラインキーに対応する回線の状態が、他のＩＰ電話端末１による保留中「ＨＯＬＤ」である旨の表示（例えばキーＩＤ「１」のラインキーを赤点滅）に変更するとともに（Ｓ２４６、Ｓ２４７）、ラインキー情報記憶部１０５を更新する（Ｓ２４８、Ｓ２４９）。具体的には、フィールド１０５１にキーＩＤ「１」が登録されているレコード１０５０を検索し、このレコード１０５０のフィールド１０５２に登録されている状態名を「ＨＯＬＤ」に更新する。それから、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ２５０、Ｓ２５１）。
【０１０３】
図１５は、本実施の形態に係るＩＰボタン電話システムの保留解除動作シーケンスを説明するための図である。なお、初期状態において、ＩＰ電話端末１−１は、キーＩＤ「１」のラインキーに対応する回線の通話を保留中であり、ＩＰ電話端末１−２、１−３は待受中（待機中）であるものとする。
【０１０４】
まず、ＩＰ電話端末１−１において、ＩＰ電話機能部１０４は、マンマシンインターフェース部１０２を介して操作者より保留解除操作を受け付けると（Ｓ２６０）、キーＩＤ「１」のラインキーに対応する回線の保留解除処理（ＳＩＰ保留解除シーケンス）をＨＧＷ２と連携して実施し（Ｓ２６１）、通話を再開する（Ｓ２６２）。そして、その旨をラインキー制御部１１１に通知する。これを受けて、ラインキー制御部１１１は、キーＩＤ「１」のラインキーに対応する回線の状態が、自ＩＰ電話端末１−１により通話中「ＣＯＮＮＥＣＴ」である旨を表示（例えばキーＩＤ「１」のラインキーを緑点灯）するとともに（Ｓ２６３）、ラインキー情報記憶部１０５を更新する（Ｓ２６４）。具体的には、フィールド１０５１にキーＩＤ「１」が登録されているレコード１０５０を検索し、このレコード１０５０のフィールド１０５２に登録されている状態名を「ＣＯＮＮＥＣＴ」に更新する。それから、ラインキー制御部１１１は、許諾・通知処理部１０８に、キーＩＤ「１」を通知して通話通知を指示する。許諾・通知処理部１０８は、このラインキー制御部１１１の指示に従い、表４の通知コマンドのうち、メッセージエレメント１０７７にキーＩＤ「１」が格納された通話通知コマンド（コマンド名：ＣＡＬＬ）をラインキー制御コマンド送受信部１０７に渡す。ラインキー制御コマンド送受信部１０７は、許諾・通知処理部１０８から受け取った通話通知コマンドを、通信制御部１０１を介してＬＡＮインターフェース部１００から同報送信する（Ｓ２６５）。
【０１０５】
ＩＰ電話端末１−２、１−３において、ラインキー制御コマンド送受信部１０７は、ＬＡＮインターフェース部１００および通信制御部１０１を介してＩＰ電話端末１−１から通話通知コマンドを受信すると、この通話通知コマンドをラインキー制御部１１１に渡す。この場合、ラインキー制御部１１１は、この通話通知コマンドのメッセージエレメント１０７７に格納されているキーＩＤ「１」のラインキーに対応する回線の状態が、他のＩＰ電話端末１により使用中「ＵＳＥ」である旨の表示（例えばキーＩＤ「１」のラインキーを赤点灯）に変更するとともに（Ｓ２６６、Ｓ２６７）、ラインキー情報記憶部１０５を更新する（Ｓ２６８、Ｓ２６９）。具体的には、フィールド１０５１にキーＩＤ「１」が登録されているレコード１０５０を検索し、このレコード１０５０のフィールド１０５２に登録されている状態名を「ＵＳＥ」に更新する。それから、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ２７０、Ｓ２７１）。
【０１０６】
図１６は、本実施の形態に係るＩＰボタン電話システムの保留応答動作シーケンスを説明するための図である。なお、初期状態において、ＩＰ電話端末１−１は、キーＩＤ「１」のラインキーに対応する回線の通話を保留中であり、ＩＰ電話端末１−２、１−３は待受中（待機中）であるものとする。
【０１０７】
まず、ＩＰ電話端末１−２において、ＩＰ電話機能部１０４は、マンマシンインターフェース部１０２を介して操作者より、キーＩＤ「１」のラインキーに対応する回線の保留応答操作を受け付けると（Ｓ２８０）、その旨をラインキー制御部１１１に通知する。これを受けて、ラインキー制御部１１１は、ラインキー情報記憶部１０５を参照し、許諾・通知処理部１０８に、キーＩＤ「１」およびキーＩＤ「１」のラインキーに対応する回線を保留中のＩＰ電話端末１−１の端末ＩＤを通知し、保留応答通知を指示する。許諾・通知処理部１０８は、このラインキー制御部１１１の指示に従い、表４の通知コマンドのうち、メッセージエレメント１０７７にキーＩＤ「１」が格納された保留応答通知コマンド（コマンド名：ＰＩＣＫＵＰ）を、この保留応答通知コマンドの送信先のＩＰ電話端末１−１の端末ＩＤとともにラインキー制御コマンド送受信部１０７に渡す。ラインキー制御コマンド送受信部１０７は、許諾・通知処理部１０８から受け取った保留応答通知コマンドを、通信制御部１０１を介してＬＡＮインターフェース部１００からＩＰ電話端末１−１に送信する（Ｓ２８１）。
【０１０８】
つぎに、ＩＰ電話端末１−１において、ラインキー制御コマンド送受信部１０７は、ＬＡＮインターフェース部１００および通信制御部１０１を介してＩＰ電話端末１−２から保留応答通知コマンドを受信すると、この保留応答通知コマンドをラインキー制御部１１１に渡す。この場合、ラインキー制御部１１１は、ラインキー情報記憶部１０５を参照し、自ＩＰ電話端末１−１がキーＩＤ「１」のラインキーに対応する回線を保留中であることを確認して、確認応答の返信を応答処理部１０９に指示するとともに、保留中の回線のＩＰ電話端末１−２への転送をＩＰ電話機能部１０４に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−２に送信する（Ｓ２８２）。また、ＩＰ電話機能部１０４は、キーＩＤ「１」のラインキーに対応する回線のＩＰ電話端末１−２への転送処理（ＳＩＰ転送シーケンス）をＨＧＷ２と連携して実施する（Ｓ２８３）。
【０１０９】
つぎに、ＩＰ電話端末１−２において、ＩＰ電話機能部１０４は、通話路が確立されると（Ｓ２８４）、その旨をラインキー制御部１１１に通知する。これを受けて、ラインキー制御部１１１は、キーＩＤ「１」のラインキーに対応する回線の状態が、自ＩＰ電話端末１−２により通話中「ＣＯＮＮＥＣＴ」である旨を表示（例えばキーＩＤ「１」のラインキーを緑点灯）するとともに（Ｓ２８５）、ラインキー情報記憶部１０５を更新する（Ｓ２８６）。具体的には、フィールド１０５１にキーＩＤ「１」が登録されているレコード１０５０を検索し、このレコード１０５０のフィールド１０５２に登録されている状態名を「ＣＯＮＮＥＣＴ」に更新する。それから、ラインキー制御部１１１は、許諾・通知処理部１０８に、キーＩＤ「１」を通知して通話通知を指示する。許諾・通知処理部１０８は、このラインキー制御部１１１の指示に従い、表４の通知コマンドのうち、メッセージエレメント１０７７にキーＩＤ「１」が格納された通話通知コマンド（コマンド名：ＣＡＬＬ）をラインキー制御コマンド送受信部１０７に渡す。ラインキー制御コマンド送受信部１０７は、許諾・通知処理部１０８から受け取った通話通知コマンドを、通信制御部１０１を介してＬＡＮインターフェース部１００から同報送信する（Ｓ２８７）。
【０１１０】
ＩＰ電話端末１−１、１−３において、ラインキー制御コマンド送受信部１０７は、ＬＡＮインターフェース部１００および通信制御部１０１を介してＩＰ電話端末１−１から通話通知コマンドを受信すると、この通話通知コマンドをラインキー制御部１１１に渡す。この場合、ラインキー制御部１１１は、この通話通知コマンドのメッセージエレメント１０７７に格納されているキーＩＤ「１」のラインキーに対応する回線の状態が、他のＩＰ電話端末１により使用中「ＵＳＥ」である旨の表示（例えばキーＩＤ「１」のラインキーを赤点灯）に変更するとともに（Ｓ２８８、Ｓ２８９）、ラインキー情報記憶部１０５を更新する（Ｓ２９０、Ｓ２９１）。具体的には、フィールド１０５１にキーＩＤ「１」が登録されているレコード１０５０を検索し、このレコード１０５０のフィールド１０５２、１０５３に登録されている状態名、使用端末ＩＤをそれぞれ「ＵＳＥ」、「ＩＰ電話端末１−１の端末ＩＤ」に更新する。それから、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−２に送信する（Ｓ２９２、Ｓ２９３）。
【０１１１】
図１７は、本実施の形態に係るＩＰボタン電話システムの終話動作シーケンスを説明するための図である。なお、初期状態において、ＩＰ電話端末１−１は、キーＩＤ「１」のラインキーに対応する回線を用いて通話中であり、ＩＰ電話端末１−２、１−３は待受中（待機中）であるものとする。
【０１１２】
まず、ＩＰ電話端末１−１において、ＩＰ電話機能部１０４は、マンマシンインターフェース部１０２を介して操作者より終話操作を受け付けると（Ｓ３００）、通信制御部１０１およびＬＡＮインターフェース部１００を介してＨＧＷ２に、キーＩＤ「１」のラインキーに対応する回線の指定を伴うＢＹＥメッセージを送信する（Ｓ３０１）。そして、ＬＡＮインターフェース部１００および通信制御部１０１を介してＨＧＷ２から２００  ＯＫメッセージを受信することにより（Ｓ３０２）、通話を終了し、その旨をラインキー制御部１１１に通知する。これを受けて、ラインキー制御部１１１は、キーＩＤ「１」のラインキーに対応する回線の状態が未使用中「ＦＲＥＥ」である旨を表示（例えばキーＩＤ「１」のラインキーを消灯）するとともに（Ｓ３０３）、ラインキー情報記憶部１０５を更新する（Ｓ３０４）。具体的には、フィールド１０５１にキーＩＤ「１」が登録されているレコード１０５０を検索し、このレコード１０５０のフィールド１０５２に登録されている状態名を「ＦＲＥＥ」に更新するとともに、フィールド１０５３からＩＰ電話端末１−１の端末ＩＤを削除してフィールド１０５３を空欄とする。それから、ラインキー制御部１１１は、許諾・通知処理部１０８に、キーＩＤ「１」を通知して解放通知を指示する。許諾・通知処理部１０８は、このラインキー制御部１１１の指示に従い、表４の通知コマンドのうち、メッセージエレメント１０７７にキーＩＤ「１」が格納された解放通知コマンド（コマンド名：ＲＥＬＥＡＳＥ）をラインキー制御コマンド送受信部１０７に渡す。ラインキー制御コマンド送受信部１０７は、許諾・通知処理部１０８から受け取った解放通知コマンドを、通信制御部１０１を介してＬＡＮインターフェース部１００から同報送信する（Ｓ３０５）。
【０１１３】
ＩＰ電話端末１−２、１−３において、ラインキー制御コマンド送受信部１０７は、ＬＡＮインターフェース部１００および通信制御部１０１を介してＩＰ電話端末１−１から解放通知コマンドを受信すると、この解放通知コマンドをラインキー制御部１１１に渡す。これを受けて、ラインキー制御部１１１は、この解放通知コマンドのメッセージエレメント１０７７に格納されているキーＩＤ「１」のラインキーに対応する回線の状態が未使用中「ＦＲＥＥ」である旨を表示（例えばキーＩＤ「１」のラインキーを消灯）するとともに（Ｓ３０６、Ｓ３０７）、ラインキー情報記憶部１０５を更新する（Ｓ３０８、Ｓ３０９）。具体的には、フィールド１０５１にキーＩＤ「１」が登録されているレコード１０５０を検索し、このレコード１０５０のフィールド１０５２に登録されている状態名を「ＦＲＥＥ」に更新するとともに、フィールド１０５３からＩＰ電話端末１−１の端末ＩＤを削除してフィールド１０５３を空欄とする。それから、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１を介してＬＡＮインターフェース部１００からＩＰ電話端末１−１に送信する（Ｓ３１０、Ｓ３１１）。
【０１１４】
図１８は、本実施の形態に係るＩＰボタン電話システムの生存確認動作シーケンスを説明するための図である。
【０１１５】
ＩＰ電話端末１−１〜１−３各々において、ラインキー制御部１１１は定期的に到来する生存確認タイミングになると（Ｓ３２０、Ｓ３２５、Ｓ３３０）、要求処理部１１０に生存確認を指示する。要求処理部１１０は、このラインキー制御部１１１の指示に従い、表２の要求コマンドのうち、生存確認要求コマンド（コマンド名：ＣＯＮＦＩＲＭ）をラインキー制御コマンド送受信部１０７に渡す。ラインキー制御コマンド送受信部１０７は、要求処理部１１０から受け取った生存確認要求コマンドを、通信制御部１０１を介してＬＡＮインターフェース部１００から同報送信する（Ｓ３２１、Ｓ３２６、Ｓ３３１）。
【０１１６】
ＩＰ電話端末１−１〜１−３各々において、ラインキー制御コマンド送受信部１０７は、ＬＡＮインターフェース部１００および通信制御部１０１を介して他のＩＰ電話端末１から生存確認要求コマンドを受信すると、この生存確認要求コマンドをラインキー制御部１１１に渡す。これを受けて、ラインキー制御部１１１は、自ＩＰ電話端末１の回線の使用状況を伴う確認応答の返信を応答処理部１０９に指示する。応答処理部１０９は、このラインキー制御部１１１の指示に従い、表５の応答コマンドのうち、メッセージエレメント１０７７に自ＩＰ電話端末１の端末ＩＤおよび回線の使用状況が格納された確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１およびＬＡＮインターフェース部１００を介して生存確認要求コマンドの送信元である他のＩＰ電話端末１に送信する（Ｓ３２２、Ｓ３２３、Ｓ３２７、Ｓ３２８、Ｓ３３２、Ｓ３３３）。
【０１１７】
つぎに、ＩＰ電話端末１−１〜１−３各々において、ラインキー制御コマンド送受信部１０７は、ＬＡＮインターフェース部１００および通信制御部１０１を介して他のＩＰ電話端末１から確認応答コマンドを受信すると、この確認応答コマンドをラインキー制御部１１１に渡す。これを受けて、ラインキー制御部１１１は、この確認応答コマンドのメッセージエレメント１０７７からＩＰ電話端末１の端末ＩＤを取り出して、このＩＰ電話端末１の生存を確認するとともに、メッセージエレメント１０７７に格納されている回線の使用状況に基づいてラインキー情報記憶部１０５を更新する（Ｓ３２４、Ｓ３２９、Ｓ３３４）。このとき、状態が変更された回線があるならば、この変更内容に従い、この回線に対応するラインキーの表示を変更する。
【０１１８】
図１９は、本実施の形態に係るＩＰボタン電話システムの生存確認動作シーケンスの変形例を説明するための図である。
【０１１９】
まず、ＩＰ電話端末１−１において、ラインキー制御部１１１は、定期的に到来する生存確認タイミングになると（Ｓ３４０）、要求処理部１１０に生存確認を指示する。要求処理部１１０は、このラインキー制御部１１１の指示に従い、表２の要求コマンドのうち、生存確認要求コマンド（コマンド名：ＣＯＮＦＩＲＭ）をラインキー制御コマンド送受信部１０７に渡す。ラインキー制御コマンド送受信部１０７は、要求処理部１１０から受け取った生存確認要求コマンドを、通信制御部１０１を介してＬＡＮインターフェース部１００から同報送信する（Ｓ３４１）。
【０１２０】
ＩＰ電話端末１−２、１−３において、ラインキー制御コマンド送受信部１０７は、ＬＡＮインターフェース部１００および通信制御部１０１を介して他のＩＰ電話端末１−１から生存確認要求コマンドを受信すると、この生存確認要求コマンドをラインキー制御部１１１に渡す。これを受けて、ラインキー制御部１１１は、ラインキー情報記憶部１０５から、各回線に対応するラインキーのラインキー情報を読み出し、応答処理部１０９に、これらのラインキー情報を渡して、これらのラインキー情報を伴う確認応答の返信を指示する。応答処理部１０９は、このラインキー制御部１１１の指示に従い、表５の応答コマンドのうち、メッセージエレメント１０７７に自ＩＰ電話端末１の端末ＩＤおよび各回線に対応するラインキーのラインキー情報が格納された確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１およびＬＡＮインターフェース部１００を介してＩＰ電話端末１−１に送信する（Ｓ３４２、Ｓ３４３）。
【０１２１】
ＩＰ電話端末１−１において、ラインキー制御コマンド送受信部１０７は、ＬＡＮインターフェース部１００および通信制御部１０１を介してＩＰ電話端末１−２、１−３から確認応答コマンドを受信すると、これらの確認応答コマンドをラインキー制御部１１１に渡す。これを受けて、ラインキー制御部１１１は、これらの確認応答コマンドのメッセージエレメント１０７７からＩＰ電話端末１−２、１−３の端末ＩＤを取り出して、ＩＰ電話端末１−２、１−３の生存を確認する。また、ラインキー制御部１１１は、確認応答コマンド毎に、メッセージエレメント１０７７に格納されている各回線に対応するラインキーのラインキー情報と、ラインキー情報記憶部１０５に記憶されている各回線に対応するラインキーのラインキー情報とを比較して両者の不一致を検出する（Ｓ３４４）。
【０１２２】
ここで、ＩＰ電話端末１−２から受信した確認応答コマンドに格納されているラインキー情報とラインキー情報記憶部１０５に記憶されているラインキー情報との間に不一致があり、その不一致部分が、確認応答コマンド送信元のＩＰ電話端末１−２に使用されている回線に対応するラインキーのラインキー情報であったとする。この場合、ラインキー制御部１１１は、自ＩＰ電話端末１−１側に誤りがあると判断し、ラインキー情報記憶部１０５に記憶されているこのラインキー情報を修正する（Ｓ３４５）。
【０１２３】
また、ＩＰ電話端末１−３から受信した確認応答コマンドに格納されているラインキー情報とラインキー情報記憶部１０５に記憶されているラインキー情報との間に不一致があり、その不一致部分が、確認応答コマンド送信元のＩＰ電話端末１−３に使用されている回線に対応するラインキー以外のラインキー情報であったとする。この場合、ラインキー制御部１１１は、ＩＰ電話端末１−３側に誤りがあると判断し、ラインキー情報記憶部１０５に記憶されている不一致のラインキー情報を伴う不一致通知の送信を許諾・通知処理部１０８に指示する。許諾・通知処理部１０８は、このラインキー制御部１１１の指示に従い、表４の通知コマンドのうち、メッセージエレメント１０７７に不一致のラインキー情報が格納された不一致通知コマンド（コマンド名：ＤＩＳＡＧＲＥＥ）をラインキー制御コマンド送受信部１０７に渡す。ラインキー制御コマンド送受信部１０７は、許諾・通知処理部１０８から受け取った不一致通知コマンドを、通信制御部１０１およびＬＡＮインターフェース部１００を介してＩＰ電話端末１−３に送信する（Ｓ３４６）。
【０１２４】
ＩＰ電話端末１−３において、ラインキー制御コマンド送受信部１０７は、ＬＡＮインターフェース部１００および通信制御部１０１を介してＩＰ電話端末１−１から不一致通知コマンドを受信すると、この不一致通知コマンドをラインキー制御部１１１に渡す。これを受けて、ラインキー制御部１１１は、この不一致通知コマンドのメッセージエレメント１０７７から不一致のラインキー情報を取り出して、この不一致のラインキー情報と整合をとるようにラインキー情報記憶部１０５を更新するとともに（Ｓ３４７）、この不一致のラインキー情報に含まれるキーＩＤにより特定されるラインキーの表示を、この不一致のラインキー情報に含まれる回線の状態名に従って変更する（Ｓ３４８）。その後、ラインキー制御部１１１は、確認応答の返信を応答処理部１０９に指示する。応答処理部１０９は、このラインキー制御部１１１の指示に従い、表５の応答コマンドのうち、確認応答コマンド（コマンド名：ＡＣＫ）をラインキー制御コマンド送受信部１０７に渡す。ラインキー制御コマンド送受信部１０７は、応答処理部１０９から受け取った確認応答コマンドを、通信制御部１０１およびＬＡＮインターフェース部１００を介してＩＰ電話端末１−１に送信する（Ｓ３４９）。
【０１２５】
なお、ＩＰ電話端末１−１は、他のＩＰ電話端末１−２、１−３から受信した確認応答コマンドに格納されているラインキー情報とラインキー情報記憶部１０５に記憶されているラインキー情報との間の不一致があり、その不一致部分が確認応答コマンド送信元のＩＰ電話端末１に使用されている回線に対応するラインキーのラインキー情報であり、さらにその不一致内容が使用端末ＩＤである場合、つまり、確認応答コマンド送信元のＩＰ電話端末１と同じ回線を使用している他のＩＰ電話端末１が存在する場合、これらのＩＰ電話端末１の優先度（例えばラインキー情報に含まれるラインキー状態の優劣、ラインキー状態が同じであればＩＰ電話端末１の内線番号の順番）を比較する。
【０１２６】
確認応答コマンド送信元のＩＰ電話端末１の優先度の方が高い場合、自ＩＰ電話端末１−１側に誤りがあると判断し、ラインキー情報記憶部１０５に記憶されている不一致のラインキー情報を正しいラインキー情報に修正するとともに、ラインキー情報記憶部１０５に記憶されているこのラインキー情報の使用端末ＩＤにより特定されるＩＰ電話端末１が自ＩＰ電話端末１−１以外ならば、このＩＰ電話端末１に、正しいラインキー情報がメッセージエレメント１０７７に格納された不一致通知コマンドを送信する。一方、確認応答コマンド送信元のＩＰ電話端末１の優先度の方が低い場合、確認応答コマンド送信元のＩＰ電話端末１側に誤りがあると判断し、確認応答コマンド送信元のＩＰ電話端末１に、正しいラインキー情報がメッセージエレメント１０７７に格納された不一致通知コマンドを送信する。そして、不一致通知コマンドを受信したＩＰ電話端末１は、図１９のＳ３４７〜Ｓ３４９を実施する。
【０１２７】
以上、本発明の一実施の形態を説明した。
【０１２８】
本実施の形態において、ＩＰ電話端末１は、自ＩＰ電話端末１によって使用されている回線の状態をこの回線に対応するラインキーに表示するとともに、この回線の状態およびこの回線に対応するラインキーのキーＩＤを含むラインキー情報を他のＩＰ電話端末１に送信する。また、ＩＰ電話端末１は、他のＩＰ電話端末１によって送信されたラインキー情報を受信し、このラインキー情報に含まれている回線の状態を、このラインキー情報に含まれているキーＩＤによって特定されるラインキーに表示する。このように、ＩＰボタン電話システムに所属するＩＰ電話端末１間において、各ＩＰ電話端末１によって使用されている回線の状態およびこの回線に対応するラインキーのキーＩＤを互いに送受するので、これらのＩＰ電話端末１を収容するＨＧＷ２に依存することなく、ＩＰ電話端末１間でラインキーの状態を整合させることができる。
【０１２９】
また、本実施の形態において、ＩＰ電話端末１は、自ＩＰ電話端末１によって使用される回線の状態変更を要求するイベントが発生した場合に、具体的には、操作者から捕捉操作を受け付けた場合、あるいはＨＧＷ２から接続要求（ＩＮＶＩＴＥメッセージ）を受信した場合、他のＩＰ電話端末１に、回線の状態変更の許諾を要求する許諾要求コマンド（捕捉許諾要求コマンドあるいは着信許諾要求コマンド）を送信して、他のＩＰ電話端末１から応答コマンドを受信する。そして、受信した応答コマンドが許可応答コマンドである場合に、回線の状態を変更して、この回線の状態変更を通知する通知コマンド（捕捉通知コマンドあるいは着信通知コマンド）を、他のＩＰ電話端末１に送信する。また、ＩＰ電話端末１は、他のＩＰ電話端末１から許諾要求コマンド（捕捉許諾要求コマンドあるいは着信許諾要求コマンド）を受信した場合に、この許諾要求コマンドにおいて状態変更の許諾を要求されている回線が自ＩＰ電話端末１によって使用中の回線と異なる場合に、許可応答コマンドを他のＩＰ電話端末１に返信する。このようにすることにより、ＩＰ電話端末１間において回線の状態の不一致が生じる可能性をより低減できる。
【０１３０】
また、本実施の形態において、ＩＰ電話端末１は、自ＩＰ電話端末１が捕促許諾要求コマンドを送信してから応答コマンドを受信するまでに、他のＩＰ電話端末１から捕捉許諾要求コマンドを受信した場合に、他のＩＰ電話端末１に付与されている優先度と自ＩＰ電話端末１に付与されている優先度とを比較し、この比較結果に基づき、他のＩＰ電話端末１から受信した捕捉許諾要求コマンドに対する応答コマンドとして、許可応答コマンドを送信するか、それとも拒否応答コマンドを送信するかを決定している。このようにすることにより、所望のＩＰ電話端末１に対する捕捉操作を優先的に処理することが可能となる。
【０１３１】
また、本実施の形態において、ＩＰ電話端末１は、自ＩＰ電話端末１が許諾要求コマンド（捕捉許諾要求コマンドあるいは着信許諾要求コマンド）を送信してから応答コマンドを受信するまでに、他のＩＰ電話端末１から異なる種類の許諾要求コマンド（着信許諾要求コマンドあるいは捕捉許諾要求コマンド）を受信した場合に、他のＩＰ電話端末１から受信した許諾要求コマンドの種類に付与されている優先度と自ＩＰ電話端末１が送信した許諾要求コマンドの種類に付与されている優先度とを比較し、この比較結果に基づき、他のＩＰ電話端末１から受信した許諾要求コマンドに対する応答コマンドとして、許可応答コマンドを送信するか、それとも拒否応答コマンドを送信するかを決定している。このようにすることにより、捕捉操作および着信が競合した場合に、所定の一方を優先的に処理することが可能となる。
【０１３２】
また、本実施の形態において、ＩＰ電話端末１は、定期的に生存確認要求コマンドを同報送信して、他のＩＰ電話端末１から確認応答コマンドを受信する。そして、受信した応答コマンドから、他のＩＰ電話端末１に使用されている回線に対応するラインキーのラインキー情報を取得する。したがって、ＩＰ電話端末１間において回線の状態不一致が長期間に亘り生じる事態を防止できる。
【０１３３】
なお、本発明は上記の実施の形態に限定されるものではなく、その要旨の範囲内で数々の変形が可能である。
【０１３４】
例えば、図１８に示す生存確認シーケンスにおいて、ＩＰ電話端末１は、自ＩＰ電話端末１が使用中の回線の状態を、生存確認要求コマンドに対する確認応答パケットに格納することにより、他のＩＰ電話端末１に送信しているが、生存確認要求コマンドに格納することにより、他のＩＰ電話端末１に送信するようにしてもよい。
【０１３５】
また、上記の実施の形態において、図２に示すＩＰ電話端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびモデム、ＮＩＣ（Ｎｅｔｗｏｒｋ  Ｉｎｔｅｒｆａｃｅ  Ｃａｒｄ）等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することにより実現されるものでもよい。
【０１３６】
また、上記の実施の形態では、複数のＩＰ電話端末１を備えたＩＰボタン電話システムを例にとり説明したが、本発明はＩＰ電話端末１以外のボタン電話機を複数備えたボタン電話システムに広く適用可能である。
【符号の説明】
【０１３７】
１、１−１〜１−Ｎ：ＩＰ電話端末、  ２：ＨＧＷ、  ３：ＬＡＮ、  ４：ＩＰ電話網、  １００：ＬＡＮインターフェース部、  １０１：通信制御部、  １０２：マンマシンインターフェース部、  １０３：ラインキー群、  １０４：ＩＰ電話機能部、  １０５：ラインキー情報記憶部、  １０６：ラインキー操作受付部、  １０７：ラインキー制御コマンド送受信部、  １０８：許諾・通知処理部、  １０９：応答処理部、  １１０：要求処理部、  １１１：ラインキー制御部
【図１】
2014135671.tif 000008
【図２】
2014135671.tif 000009
【図３】
2014135671.tif 000010
【図４】
2014135671.tif 000011
【図５】
2014135671.tif 000012
【図６】
2014135671.tif 000013
【図７】
2014135671.tif 000014
【図８】
2014135671.tif 000015
【図９】
2014135671.tif 000016
【図１０】
2014135671.tif 000017
【図１１】
2014135671.tif 000018
【図１２】
2014135671.tif 000019
【図１３】
2014135671.tif 000020
【図１４】
2014135671.tif 000021
【図１５】
2014135671.tif 000022
【図１６】
2014135671.tif 000023
【図１７】
2014135671.tif 000024
【図１８】
2014135671.tif 000025
【図１９】
2014135671.tif 000026